(57)【要約】      （修正有）【課題】色収差が良好に補正された変倍光学系及びそれを備えた撮像装置を提供する。【解決手段】正の屈折力を有する第１レンズ群Ｇ１と、負の屈折力を有する第２レンズ群Ｇ２と、正の屈折力を有する第３レンズ群Ｇ３と、少なくとも１つのレンズ群と、を有し、変倍時、第２レンズ群と１つのレンズ群が移動し、第２の所定の正レンズ素子は、条件式（１）、（２）を満足し、第２の所定の負レンズ素子は、条件式（３）、（４）を満足し、第２レンズ群は、第１副レンズ群と、第２副レンズ群と、第３副レンズ群と、を有し、条件式（５）、（６）、を満足する。０．５２０＜（θg,F）G2p＜０．６１０（１）０．６８０＜（θC,t）G2p＜０．９００（２）０．５２０＜（θg,F）G2n＜０．５６０（３）０．７５０＜（θC,t）G2n＜０．９００（４）−０．２５＜ｆG21／ｆG22＜０．９０（５）−０．７０＜ｆG21／ｆG23＜０．４０（６）【選択図】図１
2018189839.tif 000002
【特許請求の範囲】
【請求項１】
複数のレンズ素子で構成され、物体側から順に、
正の屈折力を有する第１レンズ群と、
負の屈折力を有する第２レンズ群と、
正の屈折力を有する第３レンズ群と、
少なくとも１つのレンズ群と、を有し、
開口絞りは、前記第２レンズ群の像側面から前記第３レンズ群の像側面までの間に位置し、
広角端から望遠端への変倍時、
前記第２レンズ群は、物体側から像側へ移動し、
前記開口絞りよりも像側に位置するレンズ群のうち、少なくとも１つのレンズ群が移動し、
第２の所定の正レンズ素子は、以下の条件式（１）、（２）を満足し、
第２の所定の負レンズ素子は、以下の条件式（３）、（４）を満足し、
前記第２レンズ群は、物体側から順に、負の屈折力を有する第１副レンズ群と、負レンズ素子を有する第２副レンズ群と、負レンズ素子を有する第３副レンズ群と、を有し、
前記第２副レンズ群と前記第３副レンズ群の少なくとも一方は、正レンズ素子を有し、
以下の条件式（５）、（６）、を満足することを特徴とする変倍光学系。
０．５２０＜（θg,F）G2p＜０．６１０      （１）
０．６８０＜（θC,t）G2p＜０．９００      （２）
０．５２０＜（θg,F）G2n＜０．５６０      （３）
０．７５０＜（θC,t）G2n＜０．９００      （４）
−０．２５＜ｆG21／ｆG22＜０．９０      （５）
−０．７０＜ｆG21／ｆG23＜０．４０      （６）
ここで、
ｆG21は、前記第１副レンズ群の焦点距離、
ｆG22は、前記第２副レンズ群の焦点距離、
ｆG23は、前記第３副レンズ群の焦点距離、
（θg,F）G2pは、前記第２の所定の正レンズ素子の部分分散比、
（θc,t）G2pは、前記第２の所定の正レンズ素子の部分分散比、
（θg,F）G2nは、前記第２の所定の負レンズ素子の部分分散比、
（θc,t）G2nは、前記第２の所定の負レンズ素子の部分分散比、
（θg,F）＝（ｎg-ｎF）／（ｎF-ｎC）、
（θC,t）＝（ｎC-ｎt）／（ｎF-ｎC）、
ｎgは、ｇ線における屈折率、
ｎFは、Ｆ線における屈折率、
ｎCは、Ｃ線における屈折率、
ｎtは、ｔ線における屈折率、
前記第２の所定の正レンズ素子は、前記第２レンズ群中の全ての正レンズ素子、
前記第２の所定の負レンズ素子は、前記第２副レンズ群の前記負レンズ素子と前記第３副レンズ群の前記負レンズ素子、
前記レンズ素子は、物体側面と像側面の間が、１より大きい屈折率を持つ媒質で満たされ、且つ、前記物体側面と前記像側面の間に屈折面を持たないレンズ、
である。
【請求項２】
前記第１レンズ群は、少なくとも３枚の正レンズ素子と、少なくとも２枚の負レンズ素子と、を有することを特徴とする請求項１に記載の変倍光学系。
【請求項３】
前記第１レンズ群は、変倍時に固定されていることを特徴とする請求項１に記載の変倍光学系。
【請求項４】
以下の条件式（７）を満足することを特徴とする請求項１に記載の変倍光学系。
１．１０＜｜ｆG1／ｄ2G｜＜１．５０      （７）
ここで、
ｆG1は、前記第１レンズ群の焦点距離、
ｄ2Gは、前記第２レンズ群の広角端から望遠端までの移動量、
である。
【請求項５】
以下の条件式（８）を満足することを特徴とする請求項１に記載の変倍光学系。
１．６０＜｜ｆG2／ｆw｜＜２．８０      （８）
ここで、
ｆG2は、前記第２レンズ群の焦点距離、
ｆwは、広角端における前記変倍光学系全系の焦点距離、
である。
【請求項６】
以下の条件式（９）を満足することを特徴とする請求項１に記載の変倍光学系。
０．０３０＜｜ｆG2／ｆt｜＜０．１００      （９）
ここで、
ｆG2は、前記第２レンズ群の焦点距離、
ｆtは、望遠端における前記変倍光学系全系の焦点距離、
である。
【請求項７】
前記少なくとも１つのレンズ群は、正の屈折力を有する第４レンズ群と、第５レンズ群と、からなることを特徴とする請求項１に記載の変倍光学系。
【請求項８】
第１の所定の正レンズ素子は、以下の条件式（１０）、（１１）を満足し、
第１の所定の負レンズ素子は、以下の条件式（１２）、（１３）を満足することを特徴とする請求項１に記載の変倍光学系。
０．５２０＜（θg,F）G1p＜０．５６０      （１０）
０．７８０＜（θC,t）G1p＜０．９０      （１１）
０．５２０＜（θg,F）G1n＜０．５６０      （１２）
０．７８０＜（θC,t）G1n＜０．９０      （１３）
ここで、
（θg,F）G1pは、前記第１の所定の正レンズ素子の部分分散比、
（θC,t）G1pは、前記第１の所定の正レンズ素子の部分分散比、
（θg,F）G1nは、前記第１の所定の負レンズ素子の部分分散比、
（θC,t）G1nは、前記第１の所定の負レンズ素子の部分分散比、
前記第１の所定の正レンズ素子は、前記第１レンズ群中の全ての正レンズ素子、
前記第１の所定の負レンズ素子は、前記第１レンズ群中の全ての負レンズ素子、
である。
【請求項９】
前記第２レンズ群は、物体側負レンズ素子を有し、
前記物体側負レンズ素子は、最も物体側に位置し、
以下の条件式（１４）、（１５）を満足することを特徴とする請求項１に記載の変倍光学系。
０．５３０＜（θg,F）G2nf＜０．５８０      （１４）
０．７２０＜（θC,t）G2nf＜０．８６０      （１５）
ここで、
（θg,F）G2nfは、前記物体側負レンズ素子の部分分散比、
（θC,t）G2nfは、前記物体側負レンズ素子の部分分散比、
である。
【請求項１０】
第３の所定の正レンズ素子は、以下の条件式（１６）、（１７）を満足し、
第３の所定の負レンズ素子は、以下の条件式（１８）、（１９）を満足することを特徴とする請求項１に記載の変倍光学系。
０．５２０＜（θg,F）G3p＜０．５６０      （１６）
０．７８０＜（θC,t）G3p＜０．９０      （１７）
０．５２０＜（θg,F）G3n＜０．５６０      （１８）
０．７８０＜（θC,t）G3n＜０．９０      （１９）
ここで、
（θg,F）G3pは、前記第３の所定の正レンズ素子の部分分散比、
（θC,t）G3pは、前記第３の所定の正レンズ素子の部分分散比、
（θg,F）G3nは、前記第３の所定の負レンズ素子の部分分散比、
（θC,t）G3nは、前記第３の所定の負レンズ素子の部分分散比、
前記第３の所定の正レンズ素子は、前記第３レンズ群中の全ての正レンズ素子、
前記第３の所定の負レンズ素子は、前記第３レンズ群中の全ての負レンズ素子、
である。
【請求項１１】
第４の所定の正レンズ素子は、以下の条件式（２０）、（２１）を満足し、
第４の所定の負レンズ素子は、以下の条件式（２２）、（２３）を満足することを特徴とする請求項１に記載の変倍光学系。
０．５２０＜（θg,F）G4p＜０．５６０      （２０）
０．７８０＜（θC,t）G4p＜０．９００      （２１）
０．５２０＜（θg,F）G4n＜０．６４０      （２２）
０．６４０＜（θC,t）G4n＜０．９００      （２３）
ここで、
（θg,F）G4pは、前記第４の所定の正レンズ素子の部分分散比、
（θC,t）G4pは、前記第４の所定の正レンズ素子の部分分散比、
（θg,F）G4nは、前記第４の所定の負レンズ素子の部分分散比、
（θC,t）G4nは、前記第４の所定の負レンズ素子の部分分散比、
前記第４の所定の正レンズ素子は、前記第４レンズ群中の全ての正レンズ素子、
前記第４の所定の負レンズ素子は、前記第４レンズ群中の全ての負レンズ素子、
である。
【請求項１２】
第５の所定の正レンズ素子は、以下の条件式（２４）、（２５）を満足し、
第５の所定の負レンズ素子は、以下の条件式（２６）、（２７）を満足することを特徴とする請求項１に記載の変倍光学系。
０．５２０＜（θg,F）G5p＜０．５６０      （２４）
０．７８０＜（θC,t）G5p＜０．９００      （２５）
０．５２０＜（θg,F）G5n＜０．５６０      （２６）
０．７８０＜（θC,t）G5n＜０．９００      （２７）
（θg,F）G5pは前記第５の所定の正レンズ素子の部分分散比、
（θC,t）G5pは前記第５の所定の正レンズ素子の部分分散比、
（θg,F）G5nは前記第５の所定の負レンズ素子の部分分散比、
（θC,t）G5nは前記第５の所定の負レンズ素子の部分分散比、
前記第５の所定の正レンズ素子は、前記第５レンズ群中の全ての正レンズ素子、
前記第５の所定の負レンズ素子は、前記第５レンズ群中の全ての負レンズ素子、
である。
【請求項１３】
前記第３レンズ群よりも像側に、フォーカス群を有し、
以下の条件式（２８）を満足することを特徴とする請求項１に記載の変倍光学系。
０．５０＜｜ＦＳw｜＜１．００      （２８）
ここで、
ＦＳw＝（１−βfow×βfow)×βimgw×βimgw
βfowは、広角端における前記フォーカス群の横倍率、
βimgwは、広角端における所定の光学系の横倍率、
前記所定の光学系は、前記フォーカス群よりも像側に位置する全てのレンズ群で構成された光学系、
である。
【請求項１４】
前記第３レンズ群よりも像側に、フォーカス群を有し、
以下の条件式（２９）を満足することを特徴とする請求項１に記載の変倍光学系。
０．５０＜｜ＦＳt｜＜１．２０      （２９）
ここで、
ＦＳt＝（１−βfot×βfot)×βimgt×βimgt
βfotは、望遠端における前記フォーカス群の横倍率、
βimgtは、望遠端における所定の光学系の横倍率、
前記所定の光学系は、前記フォーカス群よりも像側に位置する全てのレンズ群で構成された光学系、
である。
【請求項１５】
変倍時、前記第４レンズ群は移動し、
前記第４レンズ群は、物体側から順に、正レンズ素子と、正レンズ素子と、負レンズ素子と、を有することを特徴とする請求項１に記載の変倍光学系。
【請求項１６】
変倍時、前記第５レンズ群は固定され、
前記第５レンズ群は、物体側から順に、第１負レンズ素子と、第１正レンズ素子と、第２負レンズ素子と、第２正レンズ素子と、を有し、
前記第１負レンズ素子と前記第１正レンズ素子とが接合され、
前記第２負レンズ素子と前記第２正レンズ素子とが接合されていることを特徴とする請求項１に記載の変倍光学系。
【請求項１７】
前記第２副レンズ群は、第１副レンズ素子を有し、
前記第１副レンズ素子は、前記第２副レンズ群の前記負レンズ素子であり、
第２副レンズ素子は正の屈折力を有し、前記第１副レンズ素子の像側に位置し、
以下の条件式（３０）を満足することを特徴とする請求項１に記載の変倍光学系。
０．６５＜｜ｆG22n／ｆG22p｜＜１．３０      （３０）
ここで、
ｆG22nは、前記第１副レンズ素子の焦点距離、
ｆG22pは、前記第２副レンズ素子の焦点距離、
である。
【請求項１８】
変倍時、前記第３レンズ群は固定されていることを特徴とする請求項１に記載の変倍光学系。
【請求項１９】
光学系と、
撮像面を持ち且つ前記光学系により撮像面上に形成された像を電気信号に変換する撮像素子と、を有し、
前記光学系が、請求項１から１８のいずれか一項に記載の変倍光学系であることを特徴とする撮像装置。
【発明の詳細な説明】
【技術分野】
【０００１】
本発明は、変倍光学系及びそれを備えた撮像装置に関する。
【背景技術】
【０００２】
少なくとも３つのレンズ群を有する変倍光学系が特許文献１に開示されている。特許文献１の変倍光学系は、正の屈折力を有する第１レンズ群と、負の屈折力を有する第２レンズ群と、正の屈折力を有する第３レンズ群と、を少なくとも有する。
【先行技術文献】
【特許文献】
【０００３】
【特許文献１】特開２０１６−９９５４９号公報（第１実施例〜第４実施例）
【発明の概要】
【発明が解決しようとする課題】
【０００４】
特許文献１の変倍光学系の変倍比は、変倍比が１５倍から２５倍程である。そのため、変倍比が十分に大きいとは言えない。また、広角端の倍率色収差については、近赤外域はで補正されている。しかしながら、短波長側、例えば、ｇ線付近では収差が残存している。よって、短波長側の収差が十分に補正されているとは言えない。
【０００５】
本発明は、このような課題に鑑みてなされたものであって、前玉径が小さく、光学系の全長を短縮しながら、色収差が良好に補正された小型で結像性能が高い変倍光学系及びそれを備えた撮像装置を提供することを目的とする。
【課題を解決するための手段】
【０００６】
上述した課題を解決し、目的を達成するために、本発明の少なくとも幾つかの実施形態に係る変倍光学系は、
複数のレンズ素子で構成され、物体側から順に、
正の屈折力を有する第１レンズ群と、
負の屈折力を有する第２レンズ群と、
正の屈折力を有する第３レンズ群と、
少なくとも１つのレンズ群と、を有し、
開口絞りは、第２レンズ群の像側面から第３レンズ群の像側面までの間に位置し、
広角端から望遠端への変倍時、
第２レンズ群は、物体側から像側へ移動し、
開口絞りよりも像側に位置するレンズ群のうち、少なくとも１つのレンズ群が移動し、
第２の所定の正レンズ素子は、以下の条件式（１）、（２）を満足し、
第２の所定の負レンズ素子は、以下の条件式（３）、（４）を満足し、
第２レンズ群は、物体側から順に、負の屈折力を有する第１副レンズ群と、負レンズ素子を有する第２副レンズ群と、負レンズ素子を有する第３副レンズ群と、を有し、
第２副レンズ群と第３副レンズ群の少なくとも一方は、正レンズ素子を有し、
以下の条件式（５）、（６）、を満足することを特徴とする変倍光学系。
０．５２０＜（θg,F）G2p＜０．６１０      （１）
０．６８０＜（θC,t）G2p＜０．９００      （２）
０．５２０＜（θg,F）G2n＜０．５６０      （３）
０．７５０＜（θC,t）G2n＜０．９００      （４）
−０．２５＜ｆG21／ｆG22＜０．９０      （５）
−０．７０＜ｆG21／ｆG23＜０．４０      （６）
ここで、
ｆG21は、第１副レンズ群の焦点距離、
ｆG22は、第２副レンズ群の焦点距離、
ｆG23は、第３副レンズ群の焦点距離、
（θg,F）G2pは、第２の所定の正レンズ素子の部分分散比、
（θc,t）G2pは、第２の所定の正レンズ素子の部分分散比、
（θg,F）G2nは、第２の所定の負レンズ素子の部分分散比、
（θc,t）G2nは、第２の所定の負レンズ素子の部分分散比、
（θg,F）＝（ｎg-ｎF）／（ｎF-ｎC）、
（θC,t）＝（ｎC-ｎt）／（ｎF-ｎC）、
ｎgは、ｇ線における屈折率、
ｎFは、Ｆ線における屈折率、
ｎCは、Ｃ線における屈折率、
ｎtは、ｔ線における屈折率、
第２の所定の正レンズ素子は、第２レンズ群中の全ての正レンズ素子、
第２の所定の負レンズ素子は、第２副レンズ群の負レンズ素子と第３副レンズ群の負レンズ素子、
レンズ素子は、物体側面と像側面の間が、１より大きい屈折率を持つ媒質で満たされ、且つ、物体側面と像側面の間に屈折面を持たないレンズ、
である。
【０００７】
また、本発明の少なくとも幾つかの実施形態に係る撮像装置は、
光学系と、
撮像面を持ち且つ光学系により撮像面上に形成された像を電気信号に変換する撮像素子と、を有し、
光学系が、上述の変倍光学系であることを特徴とする。
【発明の効果】
【０００８】
本発明によれば、前玉径が小さく、光学系の全長を短縮しながら、色収差が良好に補正された小型で結像性能が高い変倍光学系及びそれを備えた撮像装置を提供することができる。
【図面の簡単な説明】
【０００９】
【図１】実施例１に係る変倍光学系の無限遠物体合焦時のレンズ断面図である。
【図２】実施例２に係る変倍光学系の無限遠物体合焦時のレンズ断面図である。
【図３】実施例３に係る変倍光学系の無限遠物体合焦時のレンズ断面図である。
【図４】実施例４に係る変倍光学系の無限遠物体合焦時のレンズ断面図である。
【図５】実施例５に係る変倍光学系の無限遠物体合焦時のレンズ断面図である。
【図６】実施例６に係る変倍光学系の無限遠物体合焦時のレンズ断面図である。
【図７】実施例１に係る変倍光学系の無限遠物体合焦時の収差図である。
【図８】実施例２に係る変倍光学系の無限遠物体合焦時の収差図である。
【図９】実施例３に係る変倍光学系の無限遠物体合焦時の収差図である。
【図１０】実施例４に係る変倍光学系の無限遠物体合焦時の収差図である。
【図１１】実施例５に係る変倍光学系の無限遠物体合焦時の収差図である。
【図１２】実施例６に係る変倍光学系の無限遠物体合焦時の収差図である。
【図１３】撮像装置の断面図である。
【図１４】撮像装置の前方斜視図である。
【図１５】撮像装置の後方斜視図である。
【図１６】撮像装置の主要部の内部回路の構成ブロック図である。
【発明を実施するための形態】
【００１０】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１１】
本実施形態の変倍光学系は、複数のレンズ素子で構成され、物体側から順に、正の屈折力を有する第１レンズ群と、負の屈折力を有する第２レンズ群と、正の屈折力を有する第３レンズ群と、少なくとも１つのレンズ群と、を有し、開口絞りは、第２レンズ群の像側面から第３レンズ群の像側面までの間に位置し、広角端から望遠端への変倍時、第２レンズ群は、物体側から像側へ移動し、開口絞りよりも像側に位置するレンズ群のうち、少なくとも１つのレンズ群が移動し、第２の所定の正レンズ素子は、以下の条件式（１）、（２）を満足し、第２の所定の負レンズ素子は、以下の条件式（３）、（４）を満足し、第２レンズ群は、物体側から順に、負の屈折力を有する第１副レンズ群と、負レンズ素子を有する第２副レンズ群と、負レンズ素子を有する第３副レンズ群と、を有し、第２副レンズ群と第３副レンズ群の少なくとも一方は、正レンズ素子を有し、以下の条件式（５）、（６）、を満足することを特徴とする。
０．５２０＜（θg,F）G2p＜０．６１０      （１）
０．６８０＜（θC,t）G2p＜０．９００      （２）
０．５２０＜（θg,F）G2n＜０．５６０      （３）
０．７５０＜（θC,t）G2n＜０．９００      （４）
−０．２５＜ｆG21／ｆG22＜０．９０      （５）
−０．７０＜ｆG21／ｆG23＜０．４０      （６）
ここで、
ｆG21は、第１副レンズ群の焦点距離、
ｆG22は、第２副レンズ群の焦点距離、
ｆG23は、第３副レンズ群の焦点距離、
（θg,F）G2pは、第２の所定の正レンズ素子の部分分散比、
（θc,t）G2pは、第２の所定の正レンズ素子の部分分散比、
（θg,F）G2nは、第２の所定の負レンズ素子の部分分散比、
（θc,t）G2nは、第２の所定の負レンズ素子の部分分散比、
（θg,F）＝（ｎg-ｎF）／（ｎF-ｎC）、
（θC,t）＝（ｎC-ｎt）／（ｎF-ｎC）、
ｎgは、ｇ線における屈折率、
ｎFは、Ｆ線における屈折率、
ｎCは、Ｃ線における屈折率、
ｎtは、ｔ線における屈折率、
第２の所定の正レンズ素子は、第２レンズ群中の全ての正レンズ素子、
第２の所定の負レンズ素子は、第２副レンズ群の負レンズ素子と第３副レンズ群の負レンズ素子、
レンズ素子は、物体側面と像側面の間が、１より大きい屈折率を持つ媒質で満たされ、且つ、物体側面と像側面の間に屈折面を持たないレンズ、
である。
【００１２】
本実施形態の変倍光学系は、複数のレンズ素子で構成され、物体側から順に、正の屈折力を有する第１レンズ群と、負の屈折力を有する第２レンズ群と、正の屈折力を有する第３レンズ群と、を有する。
【００１３】
本実施形態の変倍光学系では、光学系のタイプを、正先行タイプの光学系にしている。正先行タイプの光学系にすることで、高変倍比の確保と、広角端から望遠端までの間での小さいＦナンバーの確保と、を行うことができる。また、小さいＦナンバーを維持しながら、第３レンズ群よりも像側のレンズ群を小型化することができる。
【００１４】
第３レンズ群の像側には、少なくとも１つのレンズ群が配置されている。このようにすることで、広角側での軸外収差、特に、第１レンズ群と第２レンズ群で発生する非点収差や倍率色収差を良好に補正することができる。
【００１５】
開口絞りは、第２レンズ群の像側面から第３レンズ群の像側面の間に配置されている。このようにすることで、第３レンズ群内の軸上光束径と、第３レンズ群よりも像側における軸上光束径と、を抑えることができる。
【００１６】
変倍時、第２レンズ群が移動する。主な変倍は、第２レンズ群の移動によって行われる。変倍に伴って、像面変動する。像面変動の補正は、開口絞りよりも像側に位置するレンズ群で行われる。
【００１７】
開口絞りよりも像側には、第３レンズ群と、少なくとも１つのレンズ群が配置されている。上述のように、第３レンズ群内と第３レンズ群よりも像側では、軸上光束径を抑えられている。よって、開口絞りから像面までの間に位置するレンズ群を移動することにより、変倍時の球面収差の変動や軸上色収差の変動を抑えながら、像面変動の補正をすることができる。
【００１８】
更に、第２の所定の正レンズ素子は、以下の条件式（１）、（２）を満足し、第２の所定の負レンズ素子は、以下の条件式（３）、（４）を満足する。
【００１９】
条件式（１）は、第２の所定の正レンズ素子のｇ線とＦ線における部分分散比の条件式、条件式（２）は、第２の所定の正レンズ素子のＣ線とｔ線における部分分散比の条件式である。第２の所定の正レンズ素子は、第２レンズ群中の全ての正レンズ素子である。
【００２０】
条件式（３）は、第２の所定の負レンズ素子のｇ線とＦ線における部分分散比の条件式、条件式（４）は、第２の所定の負レンズ素子のＣ線とｔ線における部分分散比の条件式である。第２の所定の負レンズ素子は、第２副レンズ群の負レンズ素子と第３副レンズ群の負レンズ素子である。
【００２１】
ｇ線とＦ線における部分分散比は以下の式（Ａ）で表され、Ｃ線とｔ線における部分分散比は以下の式（Ｂ）で表される。
（θg,F）＝（ｎg-ｎF）／（ｎF-ｎC）      （Ａ）
（θC,t）＝（ｎC-ｎt）／（ｎF-ｎC）      （Ｂ）
【００２２】
広角端における倍率色収差は、主に第２レンズ群で発生する。よって、第２レンズ群単体で、倍率色収差の発生を抑制することが好ましい。そのためには、第２レンズ群を構成するレンズ素子に、倍率色収差の補正に適切な部分分散比を持つ硝材を用いる。
【００２３】
第２の所定の正レンズ素子と第２の所定の負レンズ素子は、第２レンズ群に配置されている。条件式（１）、（２）、（３）、（４）を満足することで、適切な部分分散比を持つ硝材が、正レンズ素子の硝材や負レンズ素子の硝材として用いられることになる。
【００２４】
第２レンズ群は、物体側から順に、負の屈折力を有する第１副レンズ群と、負レンズ素子を有する第２副レンズ群と、負レンズ素子を有する第３副レンズ群と、を有する。第２副レンズ群と第３副レンズ群の少なくとも一方は、正レンズ素子を有する。
【００２５】
このようにすることで、広角端における倍率色収差の発生量を、広い波長域でバランス良く抑えることができる。広い波長域とは、例えば、ｇ線（４３５．８４ｎｍ）からＣ線（６４３．８５ｎｍ）までの波長域、更には、ｔ線（１０１３．９８ｎｍ）までの波長域である。
【００２６】
以上のように、本実施形態の変倍光学系によれば、特に、可視域から近赤外域まで、色収差が良好に補正された高変倍光学系を実現することができる。また、特に、広角端での倍率色収差を、ｇ線の近傍から近赤外域までバランスよく補正することができる。
【００２７】
条件式（１）に代えて、以下の条件式（１’）を満足することが好ましい。
０．５３０＜（θg,F）G2p＜０．６００      （１’）
条件式（１）に代えて、以下の条件式（１”）を満足することが好ましい。
０．５３５＜（θg,F）G2p＜０．５９０      （１”）
【００２８】
条件式（２）に代えて、以下の条件式（２’）を満足することが好ましい。
０．７００＜（θC,ｔ）G2p＜０．８８０      （２’）
条件式（２）に代えて、以下の条件式（２”）を満足することが好ましい。
０．７２０＜（θC,ｔ）G2p＜０．８７０      （２”）
【００２９】
条件式（３）に代えて、以下の条件式（３’）を満足することが好ましい。
０．５２５＜（θg,F）G2n＜０．５５０      （３’）
条件式（３）に代えて、以下の条件式（３”）を満足することが好ましい。
０．５３０＜（θg,F）G2n＜０．５４０      （３”）
【００３０】
条件式（４）に代えて、以下の条件式（４’）を満足することが好ましい。
０．８００＜（θC,ｔ）G2n＜０．８８０      （４’）
条件式（４）に代えて、以下の条件式（４”）を満足することが好ましい。
０．８２０＜（θC,ｔ）G2n＜０．８５０      （４”）
【００３１】
条件式（５）に代えて、以下の条件式（５’）を満足することが好ましい。
−０．１５＜ｆG21／ｆG22＜０．７０      （５’）
条件式（５）に代えて、以下の条件式（５”）を満足することが好ましい。
−０．１０＜ｆG21／ｆG22＜０．２０      （５”）
【００３２】
条件式（６）に代えて、以下の条件式（６’）を満足することが好ましい。
−０．５５＜ｆG21／ｆG23＜０．２０      （６’）
条件式（６）に代えて、以下の条件式（６”）を満足することが好ましい。
−０．１０＜ｆG21／ｆG23＜０．１０      （６”）
【００３３】
本実施形態の変倍光学系では、第１レンズ群は、少なくとも３枚の正レンズ素子と、少なくとも２枚の負レンズ素子と、を有することが好ましい。
【００３４】
少なくとも３枚の正レンズ素子を第１レンズ群に配置することで、第１レンズ群の屈折力を複数のレンズ素子に分担させることができる。そのため、望遠端側での球面収差の発生、非点収差の発生、軸上色収差の発生及び倍率色収差の発生を抑えながら、第１レンズ群の屈折力を大きくすることができる。その結果、光学系の全長の短縮と第１レンズ群の小径化をしながら、高変倍化ができる。
【００３５】
少なくとも２枚の負レンズ素子を第１レンズ群に配置することで、望遠側での球面収差を悪化させることなく、望遠側での軸上色収差や倍率色収差を良好に補正することができる。
【００３６】
本実施形態の変倍光学系では、第１レンズ群は、変倍時に固定されていることが好ましい。
【００３７】
第１レンズ群を像面に対して常時固定とすることで、製造誤差の軽減と変倍構成の簡略化ができる。
【００３８】
本実施形態の変倍光学系は、以下の条件式（７）を満足することが好ましい。
１．１０＜｜ｆG1／ｄ2G｜＜１．５０      （７）
ここで、
ｆG1は、第１レンズ群の焦点距離、
ｄ2Gは、第２レンズ群の広角端から望遠端までの移動量、
である。
【００３９】
条件式（７）は、第１レンズ群の焦点距離と第２レンズ群の広角端から望遠端までの移動量の比をとったものである。
【００４０】
条件式（７）の下限値を上回ることで、第２レンズ群の移動量に対して、第１レンズ群の焦点距離を長くすること、すなわち、第１レンズ群の屈折力を小さくすることができる。そのため、第１レンズ群での諸収差の発生、特に、望遠端での軸上色収差の発生、倍率色収差の発生及び球面収差の発生を抑えることができる。
【００４１】
条件式（７）の上限値を下回ることで、第２レンズ群の移動量に対して、第１レンズ群の焦点距離を短くすること、すなわち、第１レンズ群の屈折力を大きくすることができる。この場合、第２レンズ群の変倍時の移動量を抑えることができるので、光学系の全長を短縮することができる。
【００４２】
条件式（７）に代えて、以下の条件式（７’）を満足することが好ましい。
１．２０＜｜ｆG1／ｄ2G｜＜１．４５      （７’）
条件式（７）に代えて、以下の条件式（７”）を満足することが好ましい。
１．２５＜｜ｆG1／ｄ2G｜＜１．４０      （７”）
【００４３】
本実施形態の変倍光学系は、以下の条件式（８）を満足することが好ましい。
１．６０＜｜ｆG2／ｆw｜＜２．８０      （８）
ここで、
ｆG2は、第２レンズ群の焦点距離、
ｆwは、広角端における変倍光学系全系の焦点距離、
である。
【００４４】
条件式（８）は、第２レンズ群の焦点距離と広角端における変倍光学系全系の焦点距離の比をとったものである。
【００４５】
条件式（８）の下限値を上回ることで、広角端における変倍光学系全系の焦点距離に対して、第２レンズ群の焦点距離を長くすること、すなわち、第２レンズ群の屈折力を小さくすることができる。そのため、第２レンズ群での諸収差の発生、特に、広角端での歪曲収差の発生、非点収差の発生及び倍率色収差の発生を抑えることができる。その結果、良好な結像性能を保つことができる。
【００４６】
条件式（８）の上限値を下回ることで、広角端における変倍光学系全系の焦点距離に対して、第２レンズ群の焦点距離を短くすること、すなわち、第２レンズ群の屈折力を大きくすることができる。この場合、広角端での入射瞳位置を、より物体に近づけられる。そのため、第１レンズ群の径、特に、最も物体側に位置するレンズ素子の径を小径化することができる。
【００４７】
条件式（８）に代えて、以下の条件式（８’）を満足することが好ましい。
１．８０＜｜ｆG2／ｆw｜＜２．６０      （８’）
条件式（８）に代えて、以下の条件式（８”）を満足することが好ましい。
１．９０＜｜ｆG2／ｆw｜＜２．５０      （８”）
【００４８】
本実施形態の変倍光学系は、以下の条件式（９）を満足することが好ましい。
０．０３０＜｜ｆG2／ｆt｜＜０．１００      （９）
ここで、
ｆG2は、第２レンズ群の焦点距離、
ｆtは、望遠端における変倍光学系全系の焦点距離、
である。
【００４９】
条件式（９）は、第２レンズ群の焦点距離と望遠端における変倍光学系全系の焦点距離の比をとったものである。
【００５０】
条件式（９）の下限値を上回ることで、望遠端における変倍光学系全系の焦点距離に対して、第２レンズ群の焦点距離を長くすること、すなわち、第２レンズ群の屈折力を小さくすることができる。そのため、望遠端付近での変倍時の非点収差の変動を、抑えることができる。その結果、良好な結像性能を保つことができる。
【００５１】
第１レンズ群は正の屈折力を有し、第２レンズ群は負の屈折力を有している。よって、第１レンズ群の正の屈折力と第２レンズ群の負の屈折力とで、テレフォト光学系に特有の作用（以下、「テレフォト作用」という）が得られる。
【００５２】
条件式（９）の上限値を下回ることで、望遠端における変倍光学系全系の焦点距離に対して、第２レンズ群の焦点距離を短くすること、すなわち、第２レンズ群の屈折力を大きくすることができる。そのため、テレフォト作用を強めることができる。その結果、光学系の全長を短縮することができる。
【００５３】
条件式（９）に代えて、以下の条件式（９’）を満足することが好ましい。
０．０４０＜｜ｆG2／ｆt｜＜０．０９０      （９’）
条件式（９）に代えて、以下の条件式（９”）を満足することが好ましい。
０．０５０＜｜ｆG2／ｆt｜＜０．０８５      （９”）
【００５４】
本実施形態の変倍光学系では、少なくとも１つのレンズ群は、正の屈折力を有する第４レンズ群と、第５レンズ群と、からなることが好ましい。
【００５５】
第３レンズ群の像側に正の屈折力を有する第４レンズ群を配置することで、第４レンズ群から像面までの距離を短縮することができる。
【００５６】
最も像側に第５レンズ群を配置することで、広角端にて、軸上色収差や球面収差を悪化させることなく、第１レンズ群から第４レンズ群までの間で発生した非点収差や倍率色収差を、より良好に補正することができる。
【００５７】
本実施形態の変倍光学系では、第１の所定の正レンズ素子は、以下の条件式（１０）、（１１）を満足し、第１の所定の負レンズ素子は、以下の条件式（１２）、（１３）を満足することが好ましい。
０．５２０＜（θg,F）G1p＜０．５６０      （１０）
０．７８０＜（θC,t）G1p＜０．９０      （１１）
０．５２０＜（θg,F）G1n＜０．５６０      （１２）
０．７８０＜（θC,t）G1n＜０．９０      （１３）
ここで、
（θg,F）G1pは、第１の所定の正レンズ素子の部分分散比、
（θC,t）G1pは、第１の所定の正レンズ素子の部分分散比、
（θg,F）G1nは、第１の所定の負レンズ素子の部分分散比、
（θC,t）G1nは、第１の所定の負レンズ素子の部分分散比、
第１の所定の正レンズ素子は、第１レンズ群中の全ての正レンズ素子、
第１の所定の負レンズ素子は、第１レンズ群中の全ての負レンズ素子、
である。
【００５８】
条件式（１０）は、第１の所定の正レンズ素子のｇ線とＦ線における部分分散比の条件式、条件式（１１）は、第１の所定の正レンズ素子のＣ線とｔ線における部分分散比の条件式である。第１の所定の正レンズ素子は、第１レンズ群中の全ての正レンズ素子である。
【００５９】
条件式（１２）は、第１の所定の負レンズ素子のｇ線とＦ線における部分分散比の条件式、条件式（１３）は、第１の所定の負レンズ素子のＣ線とｔ線における部分分散比の条件式である。第１の所定の負レンズ素子は、第１レンズ群中の全ての負レンズ素子である。
【００６０】
条件式（１０）の下限値を上回ることで、第１の所定の正レンズ素子におけるｇ線とＦ線における部分分散比が大きくなる。そのため、実在する硝材の範囲内で、第１の所定の正レンズ素子に用いられる硝材を選択することが可能になる。
【００６１】
条件式（１０）の上限値を下回ることで、第１の所定の正レンズ素子におけるｇ線とＦ線における部分分散比が小さくなる。この場合、Ｆ線に対するｇ線の収差の発生、特に、望遠側での軸上色収差の発生や倍率色収差の発生を抑えることができる。
【００６２】
条件式（１１）の下限値を上回ることで、第１の所定の正レンズ素子におけるＣ線とｔ線における部分分散比が大きくなる。この場合、第１の所定の正レンズ素子の硝材に、低分散の硝材（アッベ数が大きい硝材）を用いることができる。そのため、Ｆ線とＣ線に対して、望遠側での軸上色収差の発生や倍率色収差の発生を抑えながら、Ｃ線に対するｔ線の収差の発生、特に、軸上色収差の発生や倍率色収差の発生を抑えることができる。
【００６３】
条件式（１１）の上限値を下回ることで、第１の所定の正レンズ素子におけるＣ線とｔ線における部分分散比が小さくなる。そのため、Ｃ線に対するｔ線の収差の発生、特に、望遠側での軸上色収差の発生や倍率色収差の発生を抑えることができる。
【００６４】
条件式（１２）の下限値を上回ることで、第１の所定の負レンズ素子におけるｇ線とＦ線における部分分散比が大きくなる。この場合、第１の所定の負レンズ素子の屈折率を、大きくすることができる。その結果、望遠側での球面収差を良好に補正することができる。
【００６５】
条件式（１２）の上限値を下回ることで、第１の所定の負レンズ素子におけるｇ線とＦ線における部分分散比が小さくなる。この場合、第１の所定の負レンズ素子におけるｇ線とＦ線における部分分散比を、第１の所定の正レンズ素子におけるｇ線とＦ線における部分分散比に近づけることができる。その結果、Ｆ線に対するｇ線の収差、特に、望遠側での軸上色収差や倍率色収差を良好に補正することができる。
【００６６】
条件式（１３）の下限値を上回ることで、第１の所定の負レンズ素子におけるＣ線とｔ線における部分分散比が大きくなる。この場合、第１の所定の負レンズ素子におけるＣ線とｔ線における部分分散比を、第１の所定の正レンズ素子におけるＣ線とｔ線における部分分散比に近づけることができる。その結果、Ｃ線に対するｔ線の収差、特に、望遠側での軸上色収差や倍率色収差を良好に補正することができる。
【００６７】
条件式（１３）の上限値を下回ることで、第１の所定の負レンズ素子におけるＣ線とｔ線における部分分散比が小さくなる。この場合、第１の所定の負レンズ素子の屈折率を、大きくすることができる。その結果、望遠側での球面収差を良好に補正することができる。
【００６８】
条件式（１０）に代えて、以下の条件式（１０’）を満足することが好ましい。
０．５２５＜（θg,F）G1p＜０．５５０      （１０’）
条件式（１０）に代えて、以下の条件式（１０”）を満足することが好ましい。
０．５３０＜（θg,F）G1p＜０．５４０      （１０”）
【００６９】
条件式（１１）に代えて、以下の条件式（１１’）を満足することが好ましい。
０．８００＜（θC,t）G1p＜０．８８０      （１１’）
条件式（１１）に代えて、以下の条件式（１１”）を満足することが好ましい。
０．８２０＜（θC,t）G1p＜０．８５０      （１１”）
【００７０】
条件式（１２）に代えて、以下の条件式（１２’）を満足することが好ましい。
０．５３０＜（θg,F）G1n＜０．５５５      （１２’）
条件式（１２）に代えて、以下の条件式（１２”）を満足することが好ましい。
０．５３６＜（θg,F）G1n＜０．５５０      （１２”）
【００７１】
条件式（１３）に代えて、以下の条件式（１３’）を満足することが好ましい。
０．７９０＜（θC,t）G1n＜０．８８      （１３’）
条件式（１３）に代えて、以下の条件式（１３”）を満足することが好ましい。
０．８００＜（θC,t）G1n＜０．８７      （１３”）
【００７２】
本実施形態の変倍光学系では、第２レンズ群は、物体側負レンズ素子を有し、物体側負レンズ素子は、最も物体側に位置し、以下の条件式（１４）、（１５）を満足することが好ましい。
０．５３０＜（θg,F）G2nf＜０．５８０      （１４）
０．７２０＜（θC,t）G2nf＜０．８６０      （１５）
ここで、
（θg,F）G2nfは、物体側負レンズ素子の部分分散比、
（θC,t）G2nfは、物体側負レンズ素子の部分分散比、
である。
【００７３】
条件式（１４）に代えて、以下の条件式（１４’）を満足することが好ましい。
０．５３５＜（θg,F）G2nf＜０．５７０      （１４’）
条件式（１４）に代えて、以下の条件式（１４”）を満足することが好ましい。
０．５４０＜（θg,F）G2nf＜０．５６０      （１４”）
【００７４】
条件式（１５）に代えて、以下の条件式（１５’）を満足することが好ましい。
０．７６０＜（θC,t）G2nf＜０．８４０      （１５’）
条件式（１５）に代えて、以下の条件式（１５”）を満足することが好ましい。
０．７８０＜（θC,t）G2nf＜０．８３０      （１５”）
【００７５】
条件式（１４）は、物体側負レンズ素子のｇ線とＦ線における部分分散比の条件式、条件式（１５）は、物体側負レンズ素子のＣ線とｔ線における部分分散比の条件式である。
【００７６】
条件式（１４）の下限値を上回ることで、物体側負レンズ素子におけるｇ線とＦ線における部分分散比が大きくなる。この場合、物体側負レンズ素子の屈折率を大きくすることができる。その結果、広角側での非点収差や湾曲収差を良好に補正することができる。
【００７７】
条件式（１４）の上限値を下回ることで、物体側負レンズ素子におけるｇ線とＦ線における部分分散比が小さくなる。そのため、Ｆ線に対するｇ線の収差の発生、特に、広角端での倍率色収差の発生を抑えることができる。
【００７８】
条件式（１５）の下限値を上回ることで、物体側負レンズ素子におけるＣ線とｔ線における部分分散比が大きくなる。この場合、物体側負レンズ素子の硝材に、低分散の硝材（アッベ数が大きい硝材）を用いることができる。そのため、Ｆ線とＣ線に対して、広角端での倍率色収差の発生を抑えながら、Ｃ線に対するｔ線の収差の補正、特に、倍率色収差を良好に補正することができる。
【００７９】
条件式（１５）の上限値を下回ることで、物体側負レンズ素子におけるＣ線とｔ線における部分分散比が小さくなる。そのため、Ｃ線に対するｔ線の収差の発生、特に、広角端での倍率色収差の発生を抑えることができる。
【００８０】
本実施形態の変倍光学系では、第３の所定の正レンズ素子は、以下の条件式（１６）、（１７）を満足し、第３の所定の負レンズ素子は、以下の条件式（１８）、（１９）を満足することが好ましい。
０．５２０＜（θg,F）G3p＜０．５６０      （１６）
０．７８０＜（θC,t）G3p＜０．９０      （１７）
０．５２０＜（θg,F）G3n＜０．５６０      （１８）
０．７８０＜（θC,t）G3n＜０．９０      （１９）
ここで、
（θg,F）G3pは、第３の所定の正レンズ素子の部分分散比、
（θC,t）G3pは、第３の所定の正レンズ素子の部分分散比、
（θg,F）G3nは、第３の所定の負レンズ素子の部分分散比、
（θC,t）G3nは、第３の所定の負レンズ素子の部分分散比、
第３の所定の正レンズ素子は、第３レンズ群中の全ての正レンズ素子、
第３の所定の負レンズ素子は、第３レンズ群中の全ての負レンズ素子、
である。
【００８１】
条件式（１６）は、第３の所定の正レンズ素子のｇ線とＦ線における部分分散比の条件式、条件式（１７）は、第３の所定の正レンズ素子のＣ線とｔ線における部分分散比の条件式である。第３の所定の正レンズ素子は、第３レンズ群中の全ての正レンズ素子である。
【００８２】
条件式（１８）は、第３の所定の負レンズ素子のｇ線とＦ線における部分分散比の条件式、条件式（１９）は、第３の所定の負レンズ素子のＣ線とｔ線における部分分散比の条件式である。第３の所定の負レンズ素子は、第３レンズ群中の全ての負レンズ素子である。
【００８３】
条件式（１６）の下限値を上回ることで、第３の所定の正レンズ素子におけるｇ線とＦ線における部分分散比が大きくなる。そのため、実在する硝材の範囲内で、第３の所定の正レンズ素子に用いられる硝材を選択することが可能になる。
【００８４】
条件式（１６）の上限値を下回ることで、第３の所定の正レンズ素子におけるｇ線とＦ線における部分分散比が小さくなる。この場合、Ｆ線に対するｇ線の収差の発生、特に、望遠側での軸上色収差の発生や倍率色収差の発生を抑えることができる。
【００８５】
条件式（１７）の下限値を上回ることで、第３の所定の正レンズ素子におけるＣ線とｔ線における部分分散比が大きくなる。この場合、第３の所定の正レンズ素子の硝材に、低分散の硝材（アッベ数が大きい硝材）を用いることができる。そのため、Ｆ線とＣ線に対して、望遠側での軸上色収差の発生や倍率色収差の発生を抑えながら、Ｃ線に対するｔ線の収差の発生、特に、軸上色収差の発生や倍率色収差の発生を抑えることができる。
【００８６】
条件式（１７）の上限値を下回ることで、第３の所定の正レンズ素子におけるＣ線とｔ線における部分分散比が小さくなる。そのため、Ｃ線に対するｔ線の収差の発生、特に、望遠側での軸上色収差の発生や倍率色収差の発生を抑えることができる。
【００８７】
条件式（１８）の下限値を上回ることで、第３の所定の負レンズ素子におけるｇ線とＦ線における部分分散比が大きくなる。この場合、第３の所定の負レンズ素子の屈折率を、大きくすることができる。その結果、望遠側での球面収差を良好に補正することができる。
【００８８】
条件式（１８）の上限値を下回ることで、第３の所定の負レンズ素子におけるｇ線とＦ線における部分分散比が小さくなる。この場合、第３の所定の負レンズ素子におけるｇ線とＦ線における部分分散比を、第３の所定の正レンズ素子におけるｇ線とＦ線における部分分散比に近づけることができる。その結果、Ｆ線に対するｇ線の収差、特に、望遠側での軸上色収差や倍率色収差を良好に補正することができる。
【００８９】
条件式（１９）の下限値を上回ることで、第３の所定の負レンズ素子におけるＣ線とｔ線における部分分散比が大きくなる。この場合、第３の所定の負レンズ素子におけるＣ線とｔ線における部分分散比を、第３の所定の正レンズ素子におけるＣ線とｔ線における部分分散比に近づけることができる。その結果、Ｃ線に対するｔ線の収差、特に、望遠側での軸上色収差や倍率色収差を良好に補正することができる。
【００９０】
条件式（１９）の上限値を下回ることで、第３の所定の負レンズ素子におけるＣ線とｔ線における部分分散比が小さくなる。この場合、第３の所定の負レンズ素子の屈折率を、大きくすることができる。その結果、望遠側での球面収差を良好に補正することができる。
【００９１】
条件式（１６）に代えて、以下の条件式（１６’）を満足することが好ましい。
０．５２５＜（θg,F）G3p＜０．５５０      （１６’）
条件式（１６）に代えて、以下の条件式（１６”）を満足することが好ましい。
０．５３０＜（θg,F）G3p＜０．５４０      （１６”）
【００９２】
条件式（１７）に代えて、以下の条件式（１７’）を満足することが好ましい。
０．８００＜（θC,t）G3p＜０．８８０      （１７’）
条件式（１７）に代えて、以下の条件式（１７”）を満足することが好ましい。
０．８２０＜（θC,t）G3p＜０．８５０      （１７”）
【００９３】
条件式（１８）に代えて、以下の条件式（１８’）を満足することが好ましい。
０．５３０＜（θg,F）G3n＜０．５５５      （１８’）
条件式（１８）に代えて、以下の条件式（１８”）を満足することが好ましい。
０．５３６＜（θg,F）G3n＜０．５５０      （１８”）
【００９４】
条件式（１９）に代えて、以下の条件式（１９’）を満足することが好ましい。
０．７９０＜（θC,t）G3n＜０．８８      （１９’）
条件式（１９）に代えて、以下の条件式（１９”）を満足することが好ましい。
０．８００＜（θC,t）G3n＜０．８７      （１９”）
【００９５】
本実施形態の変倍光学系では、第４の所定の正レンズ素子は、以下の条件式（２０）、（２１）を満足し、第４の所定の負レンズ素子は、以下の条件式（２２）、（２３）を満足することが好ましい。
０．５２０＜（θg,F）G4p＜０．５６０      （２０）
０．７８０＜（θC,t）G4p＜０．９００      （２１）
０．５２０＜（θg,F）G4n＜０．６４０      （２２）
０．６４０＜（θC,t）G4n＜０．９００      （２３）
ここで、
（θg,F）G4pは、第４の所定の正レンズ素子の部分分散比、
（θC,t）G4pは、第４の所定の正レンズ素子の部分分散比、
（θg,F）G4nは、第４の所定の負レンズ素子の部分分散比、
（θC,t）G4nは、第４の所定の負レンズ素子の部分分散比、
第４の所定の正レンズ素子は、第４レンズ群中の全ての正レンズ素子、
第４の所定の負レンズ素子は、第４レンズ群中の全ての負レンズ素子、
である。
【００９６】
条件式（２０）は、第４の所定の正レンズ素子のｇ線とＦ線における部分分散比の条件式、条件式（２１）は、第４の所定の正レンズ素子のＣ線とｔ線における部分分散比の条件式である。第４の所定の正レンズ素子は、第４レンズ群中の全ての正レンズ素子である。
【００９７】
条件式（２２）は、第４の所定の負レンズ素子のｇ線とＦ線における部分分散比の条件式、条件式（２３）は、第４の所定の負レンズ素子のＣ線とｔ線における部分分散比の条件式である。第４の所定の負レンズ素子は、第４レンズ群中の全ての負レンズ素子である。
【００９８】
条件式（２０）の下限値を上回ることで、第４の所定の正レンズ素子におけるｇ線とＦ線における部分分散比が大きくなる。そのため、実在する硝材の範囲内で、第４の所定の正レンズ素子に用いられる硝材を選択することが可能になる。
【００９９】
条件式（２０）の上限値を下回ることで、第４の所定の正レンズ素子におけるｇ線とＦ線における部分分散比が小さくなる。この場合、Ｆ線に対するｇ線の収差の発生、特に、望遠側での軸上色収差の発生や倍率色収差の発生を抑えることができる。
【０１００】
条件式（２１）の下限値を上回ることで、第４の所定の正レンズ素子におけるＣ線とｔ線における部分分散比が大きくなる。この場合、第４の所定の正レンズ素子の硝材に、低分散の硝材（アッベ数が大きい硝材）を用いることができる。そのため、Ｆ線とＣ線に対して、望遠側での軸上色収差の発生や倍率色収差の発生を抑えながら、Ｃ線に対するｔ線の収差の発生、特に、軸上色収差の発生や倍率色収差の発生を抑えることができる。
【０１０１】
条件式（２１）の上限値を下回ることで、第４の所定の正レンズ素子におけるＣ線とｔ線における部分分散比が小さくなる。そのため、Ｃ線に対するｔ線の収差の発生、特に、望遠側での軸上色収差の発生や倍率色収差の発生を抑えることができる。
【０１０２】
条件式（２２）の下限値を上回ることで、第４の所定の負レンズ素子におけるｇ線とＦ線における部分分散比が大きくなる。この場合、第４の所定の負レンズ素子の屈折率を、大きくすることができる。その結果、望遠側での球面収差を良好に補正することができる。
【０１０３】
条件式（２２）の上限値を下回ることで、第４の所定の負レンズ素子におけるｇ線とＦ線における部分分散比が小さくなる。この場合、第４の所定の負レンズ素子におけるｇ線とＦ線における部分分散比を、第４の所定の正レンズ素子におけるｇ線とＦ線における部分分散比に近づけることができる。その結果、Ｆ線に対するｇ線の収差、特に、望遠側での軸上色収差や倍率色収差を良好に補正することができる。
【０１０４】
条件式（２３）の下限値を上回ることで、第４の所定の負レンズ素子におけるＣ線とｔ線における部分分散比が大きくなる。この場合、第４の所定の負レンズ素子におけるＣ線とｔ線における部分分散比を、第４の所定の正レンズ素子におけるＣ線とｔ線における部分分散比に近づけることができる。その結果、Ｃ線に対するｔ線の収差、特に、望遠側での軸上色収差や倍率色収差を良好に補正することができる。
【０１０５】
条件式（２３）の上限値を下回ることで、第４の所定の負レンズ素子におけるＣ線とｔ線における部分分散比が小さくなる。この場合、第４の所定の負レンズ素子の屈折率を、大きくすることができる。その結果、望遠側での球面収差を良好に補正することができる。
【０１０６】
条件式（２０）に代えて、以下の条件式（２０’）を満足することが好ましい。
０．５２５＜（θg,F）G4p＜０．５５０      （２０’）
条件式（２０）に代えて、以下の条件式（２０”）を満足することが好ましい。
０．５３０＜（θg,F）G4p＜０．５４０      （２０”）
【０１０７】
条件式（２１）に代えて、以下の条件式（２１’）を満足することが好ましい。
０．８００＜（θC,t）G4p＜０．８８０      （２１’）
条件式（２１）に代えて、以下の条件式（２１”）を満足することが好ましい。
０．８２０＜（θC,t）G4p＜０．８５０      （２１”）
【０１０８】
条件式（２２）に代えて、以下の条件式（２２’）を満足することが好ましい。
０．５３０＜（θg,F）G4n＜０．６３０      （２２’）
条件式（２２）に代えて、以下の条件式（２２”）を満足することが好ましい。
０．５３６＜（θg,F）G4n＜０．６２０      （２２”）
【０１０９】
条件式（２３）に代えて、以下の条件式（２３’）を満足することが好ましい。
０．６６０＜（θC,t）G4n＜０．８６０      （２３’）
条件式（２３）に代えて、以下の条件式（２３”）を満足することが好ましい。
０．６７０＜（θC,t）G4n＜０．８３０      （２３”）
【０１１０】
本実施形態の変倍光学系では、第５の所定の正レンズ素子は、以下の条件式（２４）、（２５）を満足し、第５の所定の負レンズ素子は、以下の条件式（２６）、（２７）を満足することが好ましい。
０．５２０＜（θg,F）G5p＜０．５６０      （２４）
０．７８０＜（θC,t）G5p＜０．９００      （２５）
０．５２０＜（θg,F）G5n＜０．５６０      （２６）
０．７８０＜（θC,t）G5n＜０．９００      （２７）
（θg,F）G5pは第５の所定の正レンズ素子の部分分散比、
（θC,t）G5pは第５の所定の正レンズ素子の部分分散比、
（θg,F）G5nは第５の所定の負レンズ素子の部分分散比、
（θC,t）G5nは第５の所定の負レンズ素子の部分分散比、
第５の所定の正レンズ素子は、第５レンズ群中の全ての正レンズ素子、
第５の所定の負レンズ素子は、第５レンズ群中の全ての負レンズ素子、
である。
【０１１１】
条件式（２４）は、第５の所定の正レンズ素子のｇ線とＦ線における部分分散比の条件式、条件式（２５）は、第５の所定の正レンズ素子のＣ線とｔ線における部分分散比の条件式である。第５の所定の正レンズ素子は、第５レンズ群中の全ての正レンズ素子である。
【０１１２】
条件式（２６）は、第５の所定の負レンズ素子のｇ線とＦ線における部分分散比の条件式、条件式（２７）は、第５の所定の負レンズ素子のＣ線とｔ線における部分分散比の条件式である。第５の所定の負レンズ素子は、第５レンズ群中の全ての負レンズ素子である。
【０１１３】
条件式（２４）の下限値を上回ることで、第５の所定の正レンズ素子におけるｇ線とＦ線における部分分散比が大きくなる。そのため、実在する硝材の範囲内で、第５の所定の正レンズ素子に用いられる硝材を選択することが可能になる。
【０１１４】
条件式（２４）の上限値を下回ることで、第５の所定の正レンズ素子におけるｇ線とＦ線における部分分散比が小さくなる。この場合、Ｆ線に対するｇ線の収差の発生、特に、望遠側での軸上色収差の発生や倍率色収差の発生を抑えることができる。
【０１１５】
条件式（２５）の下限値を上回ることで、第５の所定の正レンズ素子におけるＣ線とｔ線における部分分散比が大きくなる。そのため、Ｆ線とＣ線に対して、望遠側での軸上色収差の発生や倍率色収差の発生を抑えながら、Ｃ線に対するｔ線の収差の発生、特に、軸上色収差の発生や倍率色収差の発生を抑えることができる。
【０１１６】
条件式（２５）の上限値を下回ることで、第５の所定の正レンズ素子におけるＣ線とｔ線における部分分散比が小さくなる。そのため、実在する硝材の範囲内で、第５の所定の正レンズ素子に用いられる硝材を選択することが可能になる。
【０１１７】
条件式（２６）の下限値を上回ることで、第５の所定の負レンズ素子におけるｇ線とＦ線における部分分散比が大きくなる。この場合、第５の所定の負レンズ素子の屈折率を、大きくすることができる。その結果、望遠側での球面収差を良好に補正することができる。
【０１１８】
条件式（２６）の上限値を下回ることで、第５の所定の負レンズ素子におけるｇ線とＦ線における部分分散比が小さくなる。この場合、第５の所定の負レンズ素子におけるｇ線とＦ線における部分分散比を、第５の所定の正レンズ素子におけるｇ線とＦ線における部分分散比に近づけることができる。その結果、Ｆ線に対するｇ線の収差、特に、望遠側での軸上色収差や倍率色収差を良好に補正することができる。
【０１１９】
条件式（２７）の下限値を上回ることで、第５の所定の負レンズ素子におけるＣ線とｔ線における部分分散比が大きくなる。この場合、第５の所定の負レンズ素子におけるＣ線とｔ線における部分分散比を、第５の所定の正レンズ素子におけるＣ線とｔ線における部分分散比に近づけることができる。その結果、Ｃ線に対するｔ線の収差、特に、望遠側での軸上色収差や倍率色収差を良好に補正することができる。
【０１２０】
条件式（２７）の上限値を下回ることで、第５の所定の負レンズ素子におけるＣ線とｔ線における部分分散比が小さくなる。この場合、第５の所定の負レンズ素子の屈折率を、大きくすることができる。その結果、望遠側での球面収差を良好に補正することができる。
【０１２１】
条件式（２４）に代えて、以下の条件式（２４’）を満足することが好ましい。
０．５２５＜（θg,F）G5p＜０．５５０      （２４’）
条件式（２４）に代えて、以下の条件式（２４”）を満足することが好ましい。
０．５３０＜（θg,F）G5p＜０．５４０      （２４”）
【０１２２】
条件式（２５）に代えて、以下の条件式（２５’）を満足することが好ましい。
０．８００＜（θC,t）G5p＜０．８８０      （２５’）
条件式（２５）に代えて、以下の条件式（２５”）を満足することが好ましい。
０．８２０＜（θC,t）G5p＜０．８５０      （２５”）
【０１２３】
条件式（２６）に代えて、以下の条件式（２６’）を満足することが好ましい。
０．５３０＜（θg,F）G5n＜０．５５５      （２６’）
条件式（２６）に代えて、以下の条件式（２６”）を満足することが好ましい。
０．５３６＜（θg,F）G5n＜０．５５０      （２６”）
【０１２４】
条件式（２７）に代えて、以下の条件式（２７’）を満足することが好ましい。
０．７９０＜（θC,t）G5n＜０．８８      （２７’）
条件式（２７）に代えて、以下の条件式（２７”）を満足することが好ましい。
０．８００＜（θC,t）G5n＜０．８７      （２７”）
【０１２５】
本実施形態の変倍光学系は、第３レンズ群よりも像側に、フォーカス群を有し、以下の条件式（２８）を満足することが好ましい。
０．５０＜｜ＦＳw｜＜１．００      （２８）
ここで、
ＦＳw＝（１−βfow×βfow)×βimgw×βimgw
βfowは、広角端におけるフォーカス群の横倍率、
βimgwは、広角端における所定の光学系の横倍率、
所定の光学系は、フォーカス群よりも像側に位置する全てのレンズ群で構成された光学系、
である。
【０１２６】
条件式（２８）は、広角端におけるフォーカス感度に関する条件式である。フォーカス感度とは、光軸上でのフォーカス群の移動量に対する像面の移動量を示すものである。
【０１２７】
条件式（２８）の下限値を上回ることで、フォーカス時のフォーカス群の移動量を抑えることができる。その結果、フォーカス時の非点収差の変動を抑えることができる。また、フォーカス群の移動量を抑えることができるため、フォーカス群の移動スペースを少なくすることができる。その結果、光学系を小型化することができる。
【０１２８】
条件式（２８）の上限値を下回ることで、フォーカス群で発生する非点収差を抑えることができる。
【０１２９】
条件式（２８）に代えて、以下の条件式（２８’）を満足することが好ましい。
０．６０＜｜ＦＳw｜＜０．９５      （２８’）
条件式（２８）に代えて、以下の条件式（２８”）を満足することが好ましい。
０．７０＜｜ＦＳw｜＜０．９０      （２８”）
【０１３０】
本実施形態の変倍光学系は、第３レンズ群よりも像側に、フォーカス群を有し、以下の条件式（２９）を満足することが好ましい。
０．５０＜｜ＦＳt｜＜１．２０      （２９）
ここで、
ＦＳt＝（１−βfot×βfot)×βimgt×βimgt
βfotは、望遠端におけるフォーカス群の横倍率、
βimgtは、望遠端における所定の光学系の横倍率、
所定の光学系は、フォーカス群よりも像側に位置する全てのレンズ群で構成された光学系、
である。
【０１３１】
条件式（２９）は、望遠端におけるフォーカス感度に関する条件式である。条件式（２９）の技術的意義は、条件式（２８）の技術的意義と同じである。
【０１３２】
条件式（２９）に代えて、以下の条件式（２９’）を満足することが好ましい。
０．７０＜｜ＦＳt｜＜１．１０      （２９’）
条件式（２９）に代えて、以下の条件式（２９”）を満足することが好ましい。
０．８０＜｜ＦＳt｜＜１．００      （２９”）
【０１３３】
本実施形態の変倍光学系では、変倍時、第４レンズ群は移動し、第４レンズ群は、物体側から順に、正レンズ素子と、正レンズ素子と、負レンズ素子と、を有することが好ましい。
【０１３４】
変倍時に第４レンズ群が移動することで、変倍時に発生する像面変動を補正することができる。
【０１３５】
第４レンズ群が正レンズ素子を２つ備えることで、変倍時の非点収差の変動を抑えながら、第４レンズ群の屈折力を大きくすることができる。そのため、第４レンズ群から像面までの距離を短縮することができる。
【０１３６】
レンズ素子を、物体側から、正レンズ素子、正レンズ素子、負レンズ素子の順で配置することで、負レンズ素子へ入射する軸上マージナル光線の高さを、抑えることができる。そのため、球面収差を悪化させることなく、第４レンズ群で発生する倍率色収差を小さく抑えることができる。その結果、変倍時の倍率色収差の変動を抑えることができる。
【０１３７】
本実施形態の変倍光学系では、変倍時、第５レンズ群は固定され、第５レンズ群は、物体側から順に、第１負レンズ素子と、第１正レンズ素子と、第２負レンズ素子と、第２正レンズ素子と、を有し、第１負レンズ素子と第１正レンズ素子とが接合され、第２負レンズ素子と第２正レンズ素子とが接合されていることが好ましい。
【０１３８】
最も像面側に第５レンズ群を配置することで、軸上色収差や球面収差を悪化させることなく、第１レンズ群から第４レンズ群までの間で発生した非点収差や倍率色収差を、より良好に補正することができる。
【０１３９】
第５レンズ群に２つの接合レンズを配置することで、２つの接合面で収差補正を分担することができる。そのため、諸収差を、より効果的に補正することができる。
【０１４０】
本実施形態の変倍光学系では、第２副レンズ群は、第１副レンズ素子を有し、第１副レンズ素子は、第２副レンズ群の負レンズ素子であり、第２副レンズ素子は正の屈折力を有し、第１副レンズ素子の像側に位置し、以下の条件式（３０）を満足することが好ましい。
０．６５＜｜ｆG22n／ｆG22p｜＜１．３０      （３０）
ここで、
ｆG22nは、第１副レンズ素子の焦点距離、
ｆG22pは、第２副レンズ素子の焦点距離、
である。
【０１４１】
条件式（３０）は、第１副レンズ素子の焦点距離と第２副レンズ素子の焦点距離との比をとったものである。第１副レンズ素子は、第２副レンズ群の負レンズ素子である。第２副レンズ素子は正の屈折力を有し、第１副レンズ素子の像側に位置するレンズ素子である。第２副レンズ素子は、第１副レンズ素子に対して最も近くに位置するレンズ素子であることが好ましい。
【０１４２】
条件式（３０）の下限値を上回ることで、第２副レンズ素子の焦点距離を短くすること、すなわち、第２副レンズ素子の屈折力を大きくすることができる。そのため、広角端において第１副レンズ素子で発生した倍率色収差を、良好に補正することができる。
【０１４３】
条件式（３０）の上限値を下回ることで、第１副レンズ素子の焦点距離を短くすること、すなわち、第１副レンズ素子の屈折力を大きくすることができる。その結果、広角端での入射瞳位置を、より物体に近づけられる。そのため、第１レンズ群の径、特に、最も物体側に位置するレンズ素子の径を小径化することができる。
【０１４４】
条件式（３０）に代えて、以下の条件式（３０’）を満足することが好ましい。
０．７０＜｜ｆG22n／ｆG22p｜＜１．２０      （３０’）
条件式（３０）に代えて、以下の条件式（３０”）を満足することが好ましい。
０．７５＜｜ｆG22n／ｆG22p｜＜１．１０      （３０”）
【０１４５】
本実施形態の変倍光学系では、変倍時、第３レンズ群は固定されていることが好ましい。
【０１４６】
変倍時に第３レンズ群を像面に対して常時固定とすることで、製造誤差の軽減および変倍機構の簡略化ができる。
【０１４７】
本実施形態の撮像装置は、光学系と、撮像面を持ち且つ光学系により撮像面上に形成された像を電気信号に変換する撮像素子と、を有し、光学系が本実施形態の変倍光学系であることを特徴とする。
【０１４８】
小型で高画質の画像が得られる撮像装置を提供することができる。
【０１４９】
以下に、変倍光学系の実施例を、図面に基づいて詳細に説明する。なお、この実施例によりこの発明が限定されるものではない。
【０１５０】
各実施例のレンズ断面図について説明する。（ａ）は広角端におけるレンズ断面図、（ｂ）は中間焦点距離状態におけるレンズ断面図、（ｃ）は望遠端におけるレンズ断面図を示している。
【０１５１】
各実施例の収差図について説明する。（ａ）は広角端における球面収差（ＳＡ）、（ｂ）は広角端における非点収差（ＡＳ）、（ｃ）は広角端における歪曲収差（ＤＴ）、（ｄ）は広角端における倍率色収差（ＣＣ）を示している。
【０１５２】
また、（ｅ）は中間焦点距離状態における球面収差（ＳＡ）、（ｆ）は中間焦点距離状態における非点収差（ＡＳ）、（ｇ）は中間焦点距離状態における歪曲収差（ＤＴ）、（ｈ）は中間焦点距離状態における倍率色収差（ＣＣ）を示している。
【０１５３】
また、（ｉ）は望遠端における球面収差（ＳＡ）、（ｊ）は望遠端における非点収差（ＡＳ）、（ｋ）は望遠端における歪曲収差（ＤＴ）、（ｌ）は望遠端における倍率色収差（ＣＣ）を示している。
【０１５４】
レンズ断面図は、無限遠物体合焦時（無限遠物点合焦時）のレンズ断面図である。収差図は、無限遠物体合焦時（無限遠物点合焦時）の収差図である。
【０１５５】
第１レンズ群はＧ１、第２レンズ群はＧ２、第３レンズ群はＧ３、第４レンズ群はＧ４、第５レンズ群はＧ５、開口絞り（明るさ絞り）はＳ、像面（撮像面）はＩで示してある。また、第５レンズ群Ｇ５と像面Ｉとの間に、撮像素子のカバーガラスＣが配置されている。
【０１５６】
実施例１の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、正の屈折力を有する第５レンズ群Ｇ５と、で構成されている。開口絞り（絞り）Ｓは、第２レンズ群Ｇ２と第３レンズ群Ｇ３との間に配置されている。
【０１５７】
第１レンズ群Ｇ１は、物体側に凸面を向けた負メニスカスレンズＬ１と、両凸正レンズＬ２と、物体側に凸面を向けた負メニスカスレンズＬ３と、両凸正レンズＬ４と、両凸正レンズＬ５と、物体側に凸面を向けた正メニスカスレンズＬ６と、で構成されている。ここで、負メニスカスレンズＬ１と両凸正レンズＬ２とが接合されている。負メニスカスレンズＬ３と両凸正レンズＬ４とが接合されている。
【０１５８】
第２レンズ群Ｇ２は、物体側に凸面を向けた負メニスカスレンズＬ７と、両凹負レンズＬ８と、両凸正レンズＬ９と、両凹負レンズＬ１０と、両凸正レンズＬ１１と、で構成されている。ここで、両凹負レンズＬ８と両凸正レンズＬ９とが接合されている。両凹負レンズＬ１０と両凸正レンズＬ１１とが接合されている。
【０１５９】
第１副レンズ群は、負メニスカスレンズＬ７からなる。第２副レンズ群は、両凹負レンズＬ８と、両凸正レンズＬ９と、からなる。第３副レンズ群は、両凹負レンズＬ１０と、両凸正レンズＬ１１と、からなる。
【０１６０】
第３レンズ群Ｇ３は、両凸正レンズＬ１２と、物体側に凸面を向けた負メニスカスレンズＬ１３と、両凸正レンズＬ１４と、物体側に凸面を向けた負メニスカスレンズＬ１５と、で構成されている。ここで、負メニスカスレンズＬ１３と両凸正レンズＬ１４とが接合されている。
【０１６１】
第４レンズ群Ｇ４は、両凸正レンズＬ１６と、両凸正レンズＬ１７と、両凹負レンズＬ１８と、で構成されている。ここで、両凸正レンズＬ１７と両凹負レンズＬ１８とが接合されている。
【０１６２】
第５レンズ群Ｇ５は、物体側に凸面を向けた負メニスカスレンズＬ１９と、両凸正レンズＬ２０と、物体側に凸面を向けた負メニスカスレンズＬ２１と、両凸正レンズＬ２２と、で構成されている。ここで、負メニスカスレンズＬ１９と両凸正レンズＬ２０とが接合されている。負メニスカスレンズＬ２１と両凸正レンズＬ２２とが接合されている。
【０１６３】
広角端から望遠端への変倍時、第１レンズ群Ｇ１は固定され、第２レンズ群Ｇ２は像側に移動し、第３レンズ群Ｇ３は固定され、第４レンズ群Ｇ４は物体側に移動した後、像側に移動し、第５レンズ群Ｇ５は固定されている。
【０１６４】
非球面は、負メニスカスレンズＬ７の物体側面と、両凸正レンズＬ１２の両面と、の合計３面に設けられている。
【０１６５】
実施例２の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、正の屈折力を有する第５レンズ群Ｇ５と、で構成されている。開口絞り（絞り）Ｓは、第２レンズ群Ｇ２と第３レンズ群Ｇ３との間に配置されている。
【０１６６】
第１レンズ群Ｇ１は、物体側に凸面を向けた負メニスカスレンズＬ１と、両凸正レンズＬ２と、物体側に凸面を向けた負メニスカスレンズＬ３と、物体側に凸面を向けた正メニスカスレンズＬ４と、物体側に凸面を向けた正メニスカスレンズＬ５と、で構成されている。ここで、負メニスカスレンズＬ１と両凸正レンズＬ２とが接合されている。負メニスカスレンズＬ３と正メニスカスレンズＬ４とが接合されている。
【０１６７】
第２レンズ群Ｇ２は、両凹負レンズＬ６と、両凹負レンズＬ７と、両凸正レンズＬ８と、両凹負レンズＬ９と、物体側に凸面を向けた正メニスカスレンズＬ１０と、で構成されている。ここで、両凹負レンズＬ７と両凸正レンズＬ８とが接合されている。両凹負レンズＬ９と正メニスカスレンズＬ１０とが接合されている。
【０１６８】
第１副レンズ群は、両凹負レンズＬ６からなる。第２副レンズ群は、両凹負レンズＬ７と、両凸正レンズＬ８と、からなる。第３副レンズ群は、両凹負レンズＬ９と、正メニスカスレンズＬ１０と、からなる。
【０１６９】
第３レンズ群Ｇ３は、両凸正レンズＬ１１と、両凹負レンズＬ１２と、両凸正レンズＬ１３と、物体側に凸面を向けた負メニスカスレンズＬ１４と、で構成されている。ここで、両凹負レンズＬ１２と両凸正レンズＬ１３とが接合されている。
【０１７０】
第４レンズ群Ｇ４は、両凸正レンズＬ１５と、両凸正レンズＬ１６と、両凹負レンズＬ１７と、で構成されている。ここで、両凸正レンズＬ１６と両凹負レンズＬ１７とが接合されている。
【０１７１】
第５レンズ群Ｇ５は、像側に凸面を向けた正メニスカスレンズＬ１８と、像側に凸面を向けた負メニスカスレンズＬ１９と、物体側に凸面を向けた負メニスカスレンズＬ２０と、物体側に凸面を向けた正メニスカスレンズＬ２１と、で構成されている。ここで、正メニスカスレンズＬ１８と負メニスカスレンズＬ１９とが接合されている。負メニスカスレンズＬ２０と正メニスカスレンズＬ２１とが接合されている。
【０１７２】
広角端から望遠端への変倍時、第１レンズ群Ｇ１は固定され、第２レンズ群Ｇ２は像側に移動し、第３レンズ群Ｇ３は固定され、第４レンズ群Ｇ４は物体側に移動した後、像側に移動し、第５レンズ群Ｇ５は固定されている。
【０１７３】
非球面は、両凹負レンズＬ６の両面と、両凸正レンズＬ１１の両面と、の合計４面に設けられている。
【０１７４】
実施例３の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、正の屈折力を有する第５レンズ群Ｇ５と、で構成されている。開口絞り（絞り）Ｓは、第２レンズ群Ｇ２と第３レンズ群Ｇ３との間に配置されている。
【０１７５】
第１レンズ群Ｇ１は、両凹負レンズＬ１と、両凸正レンズＬ２と、物体側に凸面を向けた負メニスカスレンズＬ３と、両凸正レンズＬ４と、両凸正レンズＬ５と、物体側に凸面を向けた正メニスカスレンズＬ６と、で構成されている。ここで、両凹負レンズＬ１と両凸正レンズＬ２とが接合されている。負メニスカスレンズＬ３と両凸正レンズＬ４とが接合されている。
【０１７６】
第２レンズ群Ｇ２は、物体側に凸面を向けた負メニスカスレンズＬ７と、両凹負レンズＬ８と、両凸正レンズＬ９と、像体側に凸面を向けた負メニスカスレンズＬ１０と、で構成されている。ここで、両凹負レンズＬ８と両凸正レンズＬ９とが接合されている。
【０１７７】
第１副レンズ群は、負メニスカスレンズＬ７からなる。第２副レンズ群は、両凹負レンズＬ８と、両凸正レンズＬ９と、からなる。第３副レンズ群は、負メニスカスレンズＬ１０からなる。
【０１７８】
第３レンズ群Ｇ３は、両凸正レンズＬ１１と、物体側に凸面を向けた負メニスカスレンズＬ１２と、両凸正レンズＬ１３と、両凹負レンズＬ１４と、で構成されている。ここで、負メニスカスレンズＬ１２と両凸正レンズＬ１３とが接合されている。
【０１７９】
第４レンズ群Ｇ４は、両凸正レンズＬ１５と、両凸正レンズＬ１６と、両凹負レンズＬ１７と、で構成されている。ここで、両凸正レンズＬ１６と両凹負レンズＬ１７とが接合されている。
【０１８０】
第５レンズ群Ｇ５は、物体側に凸面を向けた負メニスカスレンズＬ１８と、物体側に凸面を向けた正メニスカスレンズＬ１９と、物体側に凸面を向けた負メニスカスレンズＬ２０と、両凸正レンズＬ２１と、で構成されている。ここで、負メニスカスレンズＬ１８と正メニスカスレンズＬ１９とが接合されている。負メニスカスレンズＬ２０と両凸正レンズＬ２１とが接合されている。
【０１８１】
広角端から望遠端への変倍時、第１レンズ群Ｇ１は固定され、第２レンズ群Ｇ２は像側に移動し、第３レンズ群Ｇ３は固定され、第４レンズ群Ｇ４は物体側に移動した後、像側に移動し、第５レンズ群Ｇ５は固定されている。
【０１８２】
非球面は、負メニスカスレンズＬ７の物体側面と、両凸正レンズＬ１１の両面と、の合計３面に設けられている。
【０１８３】
実施例４の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、正の屈折力を有する第５レンズ群Ｇ５と、で構成されている。開口絞り（絞り）Ｓは、第２レンズ群Ｇ２と第３レンズ群Ｇ３との間に配置されている。
【０１８４】
第１レンズ群Ｇ１は、両凹負レンズＬ１と、両凸正レンズＬ２と、物体側に凸面を向けた負メニスカスレンズＬ３と、両凸正レンズＬ４と、両凸正レンズＬ５と、物体側に凸面を向けた正メニスカスレンズＬ６と、で構成されている。ここで、両凹負レンズＬ１と両凸正レンズＬ２とが接合されている。負メニスカスレンズＬ３と両凸正レンズＬ４とが接合されている。
【０１８５】
第２レンズ群Ｇ２は、物体側に凸面を向けた負メニスカスレンズＬ７と、両凹負レンズＬ８と、両凸正レンズＬ９と、両凹負レンズＬ１０と、で構成されている。ここで、両凸正レンズＬ９と両凹負レンズＬ１０とが接合されている。
【０１８６】
第１副レンズ群は、負メニスカスレンズＬ７からなる。第２副レンズ群は、両凹負レンズＬ８からなる。第３副レンズ群は、両凸正レンズＬ９と、両凹負レンズＬ１０と、からなる。
【０１８７】
第３レンズ群Ｇ３は、両凸正レンズＬ１１と、物体側に凸面を向けた負メニスカスレンズＬ１２と、両凸正レンズＬ１３と、両凹負レンズＬ１４と、で構成されている。ここで、負メニスカスレンズＬ１２と両凸正レンズＬ１３とが接合されている。
【０１８８】
第４レンズ群Ｇ４は、両凸正レンズＬ１５と、両凸正レンズＬ１６と、像側に凸面を向けた負メニスカスレンズＬ１７と、で構成されている。ここで、両凸正レンズＬ１６と負メニスカスレンズＬ１７とが接合されている。
【０１８９】
第５レンズ群Ｇ５は、物体側に凸面を向けた負メニスカスレンズＬ１８と、物体側に凸面を向けた正メニスカスレンズＬ１９と、物体側に凸面を向けた負メニスカスレンズＬ２０と、両凸正レンズＬ２１と、で構成されている。ここで、負メニスカスレンズＬ１８と正メニスカスレンズＬ１９とが接合されている。負メニスカスレンズＬ２０と両凸正レンズＬ２１とが接合されている。
【０１９０】
広角端から望遠端への変倍時、第１レンズ群Ｇ１は固定され、第２レンズ群Ｇ２は像側に移動し、第３レンズ群Ｇ３は固定され、第４レンズ群Ｇ４は物体側に移動した後、像側に移動し、第５レンズ群Ｇ５は固定されている。
【０１９１】
非球面は、負メニスカスレンズＬ７の物体側面と、両凸正レンズＬ１１の両面と、の合計３面に設けられている。
【０１９２】
実施例５の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、正の屈折力を有する第５レンズ群Ｇ５と、で構成されている。開口絞り（絞り）Ｓは、第３レンズ群Ｇ３中に配置されている。
【０１９３】
第１レンズ群Ｇ１は、物体側に凸面を向けた負メニスカスレンズＬ１と、両凸正レンズＬ２と、物体側に凸面を向けた負メニスカスレンズＬ３と、両凸正レンズＬ４と、両凸正レンズＬ５と、物体側に凸面を向けた正メニスカスレンズＬ６と、で構成されている。ここで、負メニスカスレンズＬ１と両凸正レンズＬ２とが接合されている。負メニスカスレンズＬ３と両凸正レンズＬ４とが接合されている。
【０１９４】
第２レンズ群Ｇ２は、物体側に凸面を向けた負メニスカスレンズＬ７と、両凹負レンズＬ８と、両凸正レンズＬ９と、両凹負レンズＬ１０と、両凸正レンズＬ１１と、で構成されている。ここで、両凹負レンズＬ８と両凸正レンズＬ９とが接合されている。両凹負レンズＬ１０と両凸正レンズＬ１１とが接合されている。
【０１９５】
第１副レンズ群は、負メニスカスレンズＬ７からなる。第２副レンズ群は、両凹負レンズＬ８と、両凸正レンズＬ９と、からなる。第３副レンズ群は、両凹負レンズＬ１０と、両凸正レンズＬ１１と、からなる。
【０１９６】
第３レンズ群Ｇ３は、両凸正レンズＬ１２と、物体側に凸面を向けた負メニスカスレンズＬ１３と、両凸正レンズＬ１４と、両凹負レンズＬ１５と、で構成されている。ここで、負メニスカスレンズＬ１３と両凸正レンズＬ１４とが接合されている。
【０１９７】
第４レンズ群Ｇ４は、両凸正レンズＬ１６と、両凸正レンズＬ１７と、両凹負レンズＬ１８と、で構成されている。ここで、両凸正レンズＬ１７と両凹負レンズＬ１８とが接合されている。
【０１９８】
第５レンズ群Ｇ５は、物体側に凸面を向けた負メニスカスレンズＬ１９と、両凸正レンズＬ２０と、物体側に凸面を向けた負メニスカスレンズＬ２１と、両凸正レンズＬ２２と、で構成されている。ここで、負メニスカスレンズＬ１９と両凸正レンズＬ２０とが接合されている。負メニスカスレンズＬ２１と両凸正レンズＬ２２とが接合されている。
【０１９９】
広角端から望遠端への変倍時、第１レンズ群Ｇ１は固定され、第２レンズ群Ｇ２は像側に移動し、第３レンズ群Ｇ３は固定され、第４レンズ群Ｇ４は物体側に移動した後、像側に移動し、第５レンズ群Ｇ５は固定されている。
【０２００】
非球面は、負メニスカスレンズＬ７の物体側面と、両凸正レンズＬ１２の両面と、の合計３面に設けられている。
【０２０１】
実施例６の変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、正の屈折力を有する第５レンズ群Ｇ５と、で構成されている。開口絞り（絞り）Ｓは、第２レンズ群Ｇ２と第３レンズ群Ｇ３との間に配置されている。
【０２０２】
第１レンズ群Ｇ１は、物体側に凸面を向けた負メニスカスレンズＬ１と、両凸正レンズＬ２と、物体側に凸面を向けた負メニスカスレンズＬ３と、物体側に凸面を向けた正メニスカスレンズＬ４と、両凸正レンズＬ５と、物体側に凸面を向けた正メニスカスレンズＬ６と、で構成されている。ここで、負メニスカスレンズＬ１と両凸正レンズＬ２とが接合されている。負メニスカスレンズＬ３と正メニスカスレンズＬ４とが接合されている。
【０２０３】
第２レンズ群Ｇ２は、物体側に凸面を向けた負メニスカスレンズＬ７と、両凹負レンズＬ８と、両凸正レンズＬ９と、像側に凸面を向けた負メニスカスレンズＬ１０と、像側に凸面を向けた正メニスカスレンズＬ１１と、で構成されている。ここで、両凹負レンズＬ８と両凸正レンズＬ９とが接合されている。負メニスカスレンズＬ１０と正メニスカスレンズＬ１１とが接合されている。
【０２０４】
第１副レンズ群は、負メニスカスレンズＬ７からなる。第２副レンズ群は、両凹負レンズＬ８と、両凸正レンズＬ９と、からなる。第３副レンズ群は、負メニスカスレンズＬ１０と、正メニスカスレンズＬ１１と、からなる。
【０２０５】
第３レンズ群Ｇ３は、両凸正レンズＬ１２と、物体側に凸面を向けた負メニスカスレンズＬ１３と、両凸正レンズＬ１４と、両凹負レンズＬ１５と、で構成されている。ここで、負メニスカスレンズＬ１３と両凸正レンズＬ１４とが接合されている。
【０２０６】
第４レンズ群Ｇ４は、両凸正レンズＬ１６と、両凸正レンズＬ１７と、両凹負レンズＬ１８と、で構成されている。ここで、両凸正レンズＬ１７と両凹負レンズＬ１８とが接合されている。
【０２０７】
第５レンズ群Ｇ５は、物体側に凸面を向けた負メニスカスレンズＬ１９と、両凸正レンズＬ２０と、物体側に凸面を向けた負メニスカスレンズＬ２１と、両凸正レンズＬ２２と、で構成されている。ここで、負メニスカスレンズＬ１９と両凸正レンズＬ２０とが接合されている。負メニスカスレンズＬ２１と両凸正レンズＬ２２とが接合されている。
【０２０８】
広角端から望遠端への変倍時、第１レンズ群Ｇ１は固定され、第２レンズ群Ｇ２は像側に移動し、第３レンズ群Ｇ３は固定され、第４レンズ群Ｇ４は物体側に移動した後、像側に移動し、第５レンズ群Ｇ５は固定されている。
【０２０９】
非球面は、負メニスカスレンズＬ７の物体側面と、両凸正レンズＬ１２の両面と、の合計３面に設けられている。
【０２１０】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面である。
【０２１１】
また、ズームデータにおいて、ｆは全系の焦点距離、ＦＮＯ．はＦナンバー、ωは半画角、ＩＨは像高、ＢＦはバックフォーカス、ＬＴＬは光学系の全長である。バックフォーカスは、最も像側のレンズ面から近軸像面までの距離を空気換算して表したものである。全長は、最も物体側のレンズ面から最も像側のレンズ面までの距離にバックフォーカスを加えたものである。
【０２１２】
また、各群焦点距離において、ｆ１、ｆ２…は各レンズ群の焦点距離である。
【０２１３】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
【０２１４】
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「ｅ−ｎ」（ｎは整数）は、「１０−ｎ」を示している。なお、これら諸元値の記号は後述の実施例の数値データにおいても共通である。
【０２１５】
数値実施例１
単位  ｍｍ
面データ
面番号           r          d         nd        νd
物面          ∞         ∞
1       431.364      1.46     1.75500    52.32
2        68.349     11.19     1.43875    94.93
3      -235.369      0.10
4       208.117      1.00     1.64000    60.08
5        60.516      9.90     1.43875    94.93
6     -1774.661      1.74
7        61.514      7.32     1.43875    94.93
8      -415.961      0.10
9        48.375      5.46     1.43875    94.93
10       156.024      可変
11*       69.391      1.00     1.76802    49.24
12         7.765      5.32
13       -11.800      0.52     1.49700    81.54
14        14.208      3.00     1.80100    34.97
15      -122.650      1.44
16       -15.435      0.50     1.43875    94.93
17      2706.128      2.22     1.64000    60.08
18       -25.283      可変
19(絞り)    ∞        1.20
20*       20.312      5.00     1.49700    81.54
21*      -46.806      0.20
22       681.141      0.70     1.65160    58.55
23        23.127      5.30     1.43875    94.93
24       -23.107      0.76
25       449.302      0.60     1.64000    60.08
26        23.277      可変
27        20.251      3.20     1.43875    94.93
28       -28.599      0.50
29        27.386      3.20     1.43875    94.93
30       -21.700      0.60     1.72916    54.68
31        55.000      可変 
32        48.300      0.60     1.72916    54.68
33         7.536      3.00     1.51633    64.14
34       -53.038      0.68
35        17.032      0.80     1.67790    55.34
36         7.500      2.50     1.43875    94.93
37      -103.416      3.91
38          ∞        2.12     1.51633    64.14
39          ∞        0.40
像面          ∞
非球面データ
第１１面
k=0.000
A4=5.08948e-05,A6=-2.94765e-07,A8=2.36268e-10
第２０面
k=0.000
A4=-1.81866e-05,A6=6.29863e-08
第２１面
k=0.000
A4=3.83811e-05,A6=7.18566e-08
ズームデータ
ズーム比          36.00
広角端      中間焦点距離状態      望遠端
ｆ                 4.85            28.43           174.57
ＦＮＯ．           1.69             3.06             3.96
２ω              66.48            12.31             2.04
ＩＨ               3.20             3.20             3.20
ＢＦ(in air)       5.71             5.71             5.71
ＬＴＬ(in air)   169.25           169.25           169.25
d10            0.60            38.33            55.57
d18           56.92            19.20             1.95
d26           19.19             7.58            20.60
d31            5.71            17.33             4.30
各群焦点距離
f1=72.24   f2=-9.61   f3=44.53   f4=33.81   f5=101.78
【０２１６】
数値実施例２
単位  ｍｍ
面データ
面番号           r          d         nd        νd
物面          ∞         ∞
1       317.592      1.46     1.75500    52.32
2        69.935     12.23     1.43875    94.93
3      -219.017      0.10
4        81.779      1.00     1.64000    60.08
5        50.144      8.22     1.43875    94.93
6       682.576      0.10
7        48.467      7.26     1.43875    94.93
8       569.238      可変
9*      -79.376      1.00     1.76802    49.24
10*       10.133      6.40
11       -12.465      0.50     1.49700    81.54
12        45.631      2.85     1.80100    34.97
13       -27.254      0.10
14 -29156753.884      0.50     1.43875    94.93
15        15.530      2.38     1.64000    60.08
16        46.240      可変
17(絞り)    ∞        1.20
18*       17.709      4.36     1.49700    81.54
19*     -154.026      0.70
20       -93.211      0.70     1.65160    58.55
21        28.527      5.30     1.43875    94.93
22       -20.759      0.76
23        56.517      0.60     1.64000    60.08
24        20.574      可変
25        16.178      4.21     1.43875    94.93
26       -30.092      0.10
27        18.854      4.74     1.43875    94.93
28       -16.261      0.50     1.72916    54.68
29        25.350      可変
30       -34.158      3.00     1.72916    54.68
31       -15.236      3.00     1.51633    64.14
32       -62.457      0.20
33        12.845      0.80     1.67790    55.34
34         5.297      5.18     1.43875    94.93
35       273.688      1.70
36          ∞        2.12     1.51633    64.14
37          ∞        0.40
像面          ∞
非球面データ
第９面
k=0.000
A4=6.42244e-05,A6=-2.72946e-07,A8=5.77050e-10
第１０面
k=0.000
A4=3.80243e-06
第１８面
k=0.000
A4=-7.57698e-06,A6=-2.29413e-08,A8=3.73082e-10,
A10=-1.55550e-12
第１９面
k=0.000
A4=4.70246e-05,A6=2.21108e-08,A8=4.01297e-10,
A10=-1.01030e-12
ズームデータ
ズーム比          29.97
広角端      中間焦点距離状態      望遠端
ｆ                 4.82            26.36           144.54
ＦＮＯ．           1.60             2.99             3.30
２ω              69.71            13.44             2.48
ＩＨ               3.20             3.20             3.20
ＢＦ(in air)       3.50             3.50             3.50
ＬＴＬ(in air)   169.28           169.28           169.28
d8             0.60            43.96            65.81
d16           66.37            23.02             1.16
d24           16.39             6.68             9.87
d29            2.99            12.69             9.51
各群焦点距離
f1=87.73   f2=-11.56   f3=49.26   f4=34.43   f5=105.34
【０２１７】
数値実施例３
単位  ｍｍ
面データ
面番号           r          d         nd        νd
物面          ∞         ∞
1      -409.623      1.46     1.69680    55.53
2        94.731     11.53     1.43875    94.93
3      -118.168      0.10
4       231.902      1.00     1.72916    54.68
5        67.028     10.00     1.43875    94.93
6      -258.268      1.95
7        59.126      6.91     1.43875    94.93
8     -2459.069      0.10
9        46.889      5.24     1.43875    94.93
10       106.984      可変
11*      241.092      1.00     1.72903    54.04
12         8.321      5.25
13       -12.183      0.52     1.43875    94.93
14        15.095      3.00     1.80100    34.97
15       -68.951      0.58
16       -28.253      0.50     1.43875    94.93
17      -442.190      可変
18(絞り)    ∞        1.20
19*       18.785      5.00     1.49700    81.54
20*      -51.419      0.20
21       225.849      0.70     1.64000    60.08
22        19.679      5.30     1.43875    94.93
23       -22.623      0.20
24      -503.333      0.60     1.64000    60.08
25        25.661      可変
26        31.363      2.80     1.43875    94.93
27       -56.351      0.53
28        27.965      4.20     1.43875    94.93
29       -95.094      0.60     1.85478    24.80
30       560.167      可変
31        38.513      0.70     1.64000    60.08
32         6.312      2.80     1.49700    81.54
33        66.295      0.20
34        16.138      1.81     1.64000    60.08
35         5.700      3.50     1.43875    94.93
36       -27.696      1.88
37          ∞        2.12     1.51633    64.14
38          ∞        0.40
像面          ∞
非球面データ
第１１面
k=0.000
A4=4.62498e-05,A6=-2.53865e-07,A8=2.41119e-10
第１９面
k=0.000
A4=-1.53343e-05,A6=8.35335e-08
第２０面
k=0.000
A4=4.45034e-05,A6=9.69499e-08
ズームデータ
ズーム比          30.34
広角端      中間焦点距離状態      望遠端
ｆ                 4.85            28.43           147.13
ＦＮＯ．           1.78             3.01             4.09
２ω              67.02            12.31             2.41
ＩＨ               3.20             3.20             3.20
ＢＦ(in air)       3.68             3.68             3.68
ＬＴＬ(in air)   169.25           169.25           169.25
d10            0.60            39.69            56.35
d17           58.57            19.48             2.82
d25           20.91             8.59            13.19
d30            6.02            18.34            13.74
各群焦点距離
f1=74.06   f2=-9.43   f3=41.61   f4=31.63   f5=128.20
【０２１８】
数値実施例４
単位  ｍｍ
面データ
面番号           r          d         nd        νd
物面          ∞         ∞
1      -412.287      1.46     1.69680    55.53
2        96.578     11.13     1.43875    94.93
3      -118.104      0.10
4       216.765      1.00     1.72916    54.68
5        66.024     10.00     1.43875    94.93
6      -279.727      2.24
7        59.267      6.81     1.43875    94.93
8    -79322.928      0.10
9        46.636      5.24     1.43875    94.93
10       111.302      可変
11*      178.922      1.00     1.72903    54.04
12         7.911      5.25
13       -11.247      0.52     1.43875    94.93
14        22.453      0.20
15        18.603      3.00     1.80100    34.97
16       -47.413      0.50     1.43875    94.93
17        69.982      可変
18(絞り)    ∞        1.20
19*       19.166      5.00     1.49700    81.54
20*      -49.492      0.20
21       166.418      0.70     1.64000    60.08
22        19.364      5.30     1.43875    94.93
23       -22.700      0.20
24      -239.609      0.60     1.64000    60.08
25        26.204      可変
26        30.806      2.80     1.43875    94.93
27       -60.030      0.93
28        34.012      4.20     1.43875    94.93
29       -56.931      0.60     1.85478    24.80
30      -190.812      可変
31        26.599      0.70     1.64000    60.08
32         6.124      2.80     1.49700    81.54
33        38.579      0.20
34        16.596      1.81     1.64000    60.08
35         5.700      3.50     1.43875    94.93
36       -28.707      1.65
37          ∞        2.12     1.51633    64.14
38          ∞        0.40
像面          ∞
非球面データ
第１１面
k=0.000
A4=5.50266e-05,A6=-3.22177e-07,A8=1.92464e-10
第１９面
k=0.000
A4=-1.35679e-05,A6=8.98349e-08
第２０面
k=0.000
A4=4.54909e-05,A6=9.90974e-08
ズームデータ
ズーム比          33.73
広角端      中間焦点距離状態      望遠端
ｆ                 4.85            28.42           163.61
ＦＮＯ．           1.80             3.02             4.06
２ω              66.82            12.31             2.17
ＩＨ               3.20             3.20             3.20
ＢＦ(in air)       3.44             3.44             3.44
ＬＴＬ(in air)   169.25           169.25           169.25
d10            0.60            39.71            56.99
d17           58.83            19.72             2.45
d25           20.90             8.43            16.99
d30            6.16            18.64            10.07
各群焦点距離
f1=73.84   f2=-9.47   f3=41.86   f4=32.07   f5=134.28
【０２１９】
数値実施例５
単位  ｍｍ
面データ
面番号           r          d         nd        νd
物面          ∞         ∞
1       799.087      1.46     1.75500    52.32
2        73.082     11.03     1.43875    94.93
3      -196.994      0.10
4       190.389      1.00     1.64000    60.08
5        59.832      9.90     1.43875    94.93
6     -1455.027      1.76
7        61.714      7.26     1.43875    94.93
8      -450.325      0.10
9        48.732      5.42     1.43875    94.93
10       154.746      可変
11*       71.659      1.00     1.76802    49.24
12         7.802      5.32
13       -11.800      0.52     1.49700    81.54
14        14.336      3.00     1.80100    34.97
15      -147.578      1.35
16       -16.733      0.50     1.43875    94.93
17       141.490      1.87     1.64000    60.08
18       -27.698      可変
19*       25.707      5.00     1.49700    81.54
20*      -31.153      1.00
21(絞り)    ∞        1.00
22       218.223      0.70     1.65160    58.55
23        20.813      5.30     1.43875    94.93
24       -24.583      0.20
25      -133.726      0.60     1.64000    60.08
26        29.637      可変
27        21.438      3.20     1.43875    94.93
28       -26.607      0.50
29        25.184      3.20     1.43875    94.93
30       -21.700      0.60     1.72916    54.68
31        55.000      可変
32        41.612      0.60     1.72916    54.68
33         7.442      3.00     1.51633    64.14
34       -65.545      0.50
35        17.159      0.80     1.67790    55.34
36         7.500      2.50     1.43875    94.93
37      -112.340      4.32
38          ∞        2.12     1.51633    64.14
39          ∞        0.40
像面          ∞
非球面データ
第１１面
k=0.000
A4=4.86995e-05,A6=-2.73048e-07,A8=1.37129e-10
第１９面
k=0.000
A4=-2.45309e-05,A6=2.79409e-08
第２０面
k=0.000
A4=2.17978e-05,A6=2.23538e-08
ズームデータ
ズーム比          36.00
広角端      中間焦点距離状態      望遠端
ｆ                 4.85            28.43           174.58
ＦＮＯ．           1.66             3.08             3.94
２ω              66.42            12.29             2.03
ＩＨ               3.20             3.20             3.20
ＢＦ(in air)       6.11             6.11             6.11
ＬＴＬ(in air)   169.25           169.25           169.25
d10            0.60            38.31            55.57
d18           56.92            19.21             1.95
d26           20.11             8.13            20.82
d31            5.23            17.21             4.52
各群焦点距離
f1=72.09   f2=-9.52   f3=44.89   f4=32.39   f5=107.78
【０２２０】
数値実施例６
単位  ｍｍ
面データ
面番号           r          d         nd        νd
物面          ∞         ∞
1       761.763      1.46     1.75500    52.32
2        72.038     10.97     1.43875    94.93
3      -215.403      0.10
4       142.899      1.00     1.64000    60.08
5        55.732      9.90     1.43875    94.93
6      1313.534      0.37
7        59.296      7.56     1.43875    94.93
8      -678.534      0.10
9        48.781      5.53     1.43875    94.93
10       160.099      可変
11*       57.257      1.00     1.76802    49.24
12         7.632      5.45
13       -11.800      0.52     1.49700    81.54
14        13.743      3.00     1.80100    34.97
15      -212.524      1.70
16       -13.906      0.50     1.43875    94.93
17       -96.565      3.22     1.64000    60.08
18       -21.289      可変
19(絞り)    ∞        1.20
20*       19.635      5.00     1.49700    81.54
21*      -36.958      0.20
22      1489.642      0.70     1.65160    58.55
23        19.461      5.30     1.43875    94.93
24       -23.588      1.54
25       -97.248      0.60     1.64000    60.08
26        32.827      可変
27        24.918      3.20     1.43875    94.93
28       -26.336      0.50
29        25.009      3.20     1.43875    94.93
30       -21.700      0.60     1.72916    54.68
31        55.000      可変
32        56.731      0.60     1.72916    54.68
33         7.785      3.00     1.51633    64.14
34       -79.881      2.61
35        16.000      0.80     1.67790    55.34
36         7.840      2.50     1.43875    94.93
37       -63.424      2.14
38          ∞        2.12     1.51633    64.14
39          ∞        0.40
像面          ∞
非球面データ
第１１面
k=0.000
A4=4.91439e-05,A6=-2.33489e-07,A8=-1.93507e-10
第２０面
k=0.000
A4=-2.01479e-05,A6=4.07274e-08
第２１面
k=0.000
A4=3.67763e-05,A6=3.98627e-08
ズームデータ
ズーム比          36.00
広角端      中間焦点距離状態      望遠端
ｆ                 4.85            28.43           174.58
ＦＮＯ．           1.76             3.22             3.90
２ω              66.72            12.43             2.05
ＩＨ               3.20             3.20             3.20
ＢＦ(in air)       3.95             3.95             3.95
ＬＴＬ(in air)   169.26           169.26           169.26
d10            0.60            37.20            54.82
d18           59.56            18.71             1.95
d26           16.71             8.68            19.93
d31            4.52            16.79             4.68
各群焦点距離
f1=72.24   f2=-9.70   f3=41.04   f4=35.49   f5=81.87
【０２２１】
次に、各実施例における条件式の値を以下に掲げる。なお、-（ハイフン）は該当する構成がないことを示す。部分分散比の条件式については、各レンズ素子の部分分散比を記載している。例えば、条件式（１）では、２つの正レンズ素子をLG2p1とLG2p2で表し、LG2p1とLG2p2について部分分散比を記載している。条件式（３）では、LG22nは、第２副レンズ素子に含まれる負レンズ素子を表し、LG23nは、第３副レンズ素子に含まれる負レンズ素子を表している。
実施例１    実施例２    実施例３
(1)(θg,F)G2p
LG2p1          0.586       0.586       0.586
LG2p2          0.537       0.537        -
(2)(θC,t)G2p
LG2p1          0.726       0.726       0.726
LG2p2          0.865       0.865        -
(3)(θg,F)G2n
LG22n          0.537       0.537       0.534
LG23n          0.534       0.534       0.534
(4)(θC,t)G2n
LG22n          0.826       0.826       0.837
LG23n          0.837       0.837       0.837
(5)fG21/fG22        0.16        0.02        0.00
(6)fG21/fG23        0.02        0.01        0.17
(7)|fG1/d2G|        1.314       1.346       1.328
(8)|fG2/fw|         1.982       2.397       1.944
(9)|fG2/ft|         0.055       0.080       0.064
(10)(θg,F)G1p
LG1p1          0.5341      0.5341      0.5341
LG1p2          0.5341      0.5341      0.5341
LG1p3          0.5341      0.5341      0.5341
LG1p4          0.5341       -          0.5341
(11)(θC,t)G1p
LG1p1          0.8373      0.8373      0.8373
LG1p2          0.8373      0.8373      0.8373
LG1p3          0.8373      0.8373      0.8373
LG1p4          0.8373       -          0.8373
(12)(θg,F)G1n
LG1n1          0.5475      0.5475      0.5433
LG1n2          0.5370      0.5370      0.5445
(13)(θC,t)G1n
LG1n1          0.8107      0.8107      0.8330
LG1n2          0.8645      0.8645      0.8244
(14)(θg,F)G2nf     0.5513      0.5513      0.5444
(15)(θC,t)G2nf     0.7885      0.7885      0.8213
(16)(θg,F)G3p
LG3p1          0.5374      0.5374      0.5374
LG3p2          0.5341      0.5341      0.5341
(17)(θC,t)G3p
LG3p1          0.8258      0.8258      0.8258
LG3p2          0.8373      0.8373      0.8373
(18)(θg,F)G3n
LG3n1          0.5426      0.5426      0.5370
LG3n2          0.5370      0.5370      0.5370
(19)(θC,t)G3n
LG3n1          0.8270      0.8270      0.8645
LG3n2          0.8645      0.8645      0.8645
(20)(θg,F)G4p
LG4p1          0.5341      0.5341      0.5341
LG4p2          0.5341      0.5341      0.5341
(21)(θC,t)G4p
LG4p1          0.8373      0.8373      0.8373
LG4p2          0.8373      0.8373      0.8373
(22)(θg,F)G4n      0.5445      0.5445      0.6122
(23)(θC,t)G4n      0.8244      0.8244      0.6739
(24)(θg,F)G5p
LG5p1          0.5353      0.5353      0.5374
LG5p2          0.5341      0.5341      0.5341
(25)(θC,t)G5p
LG5p1          0.8687      0.8687      0.8258
LG5p2          0.8373      0.8373      0.8373
(26)(θg,F)G5n
LG5n1          0.5445      0.5445      0.5370
LG5n2          0.5472      0.5472      0.5370
(27)(θC,t)G5n
LG5n1          0.8244      0.8244      0.8645
LG5n2          0.8045      0.8045      0.8645
(28)|FSw|           0.852       0.876       0.857
(29)|FSt|           0.827       0.942       0.959
(30)|fG22n/fG22p|   0.80        0.91        0.97
実施例４    実施例５    実施例６
(1)(θg,F)G2p
LG2p1          0.586       0.586       0.586
LG2p2           -          0.537       0.537
(2)(θC,t)G2p
LG2p1          0.726       0.726       0.726
LG2p2           -          0.865       0.865
(3)(θg,F)G2n
LG22n          0.534       0.537       0.537
LG23n          0.534       0.534       0.534
(4)(θC,t)G2n
LG22n          0.837       0.826       0.826
LG23n          0.837       0.837       0.837
(5)fG21/fG22        0.67        0.17        0.18
(6)fG21/fG23       -0.51        0.01        0.01
(7)|fG1/d2G|        1.309       1.311       1.332
(8)|fG2/fw|         1.953       1.963       2.000
(9)|fG2/ft|         0.058       0.055       0.056
(10)(θg,F)G1p
LG1p1          0.5341      0.5341      0.5341
LG1p2          0.5341      0.5341      0.5341
LG1p3          0.5341      0.5341      0.5341
LG1p4          0.5341      0.5341      0.5341
(11)(θC,t)G1p
LG1p1          0.8373      0.8373      0.8373
LG1p2          0.8373      0.8373      0.8373
LG1p3          0.8373      0.8373      0.8373
LG1p4          0.8373      0.8373      0.8373
(12)(θg,F)G1n
LG1n1          0.5433      0.5475      0.5475
LG1n2          0.5445      0.5370      0.5370
(13)(θC,t)G1n
LG1n1          0.8330      0.8107      0.8107
LG1n2          0.8244      0.8645      0.8645
(14)(θg,F)G2nf     0.5444      0.5513      0.5513
(15)(θC,t)G2nf     0.8213      0.7885      0.7885
(16)(θg,F)G3p
LG3p1          0.5374      0.5374      0.5374
LG3p2          0.5341      0.5341      0.5341
(17)(θC,t)G3p
LG3p1          0.8258      0.8258      0.8258
LG3p2          0.8373      0.8373      0.8373
(18)(θg,F)G3n
LG3n1          0.5370      0.5426      0.5426
LG3n2          0.5370      0.5370      0.5370
(19)(θC,t)G3n
LG3n1          0.8645      0.8270      0.8270
LG3n2          0.8645      0.8645      0.8645
(20)(θg,F)G4p
LG4p1          0.5341      0.5341      0.5341
LG4p2          0.5341      0.5341      0.5341
(21)(θC,t)G4p
LG4p1          0.8373      0.8373      0.8373
LG4p2          0.8373      0.8373      0.8373
(22)(θg,F)G4n      0.6122      0.5445      0.5445
(23)(θC,t)G4n      0.6739      0.8244      0.8244
(24)(θg,F)G5p
LG5p1          0.5374      0.5353      0.5353
LG5p2          0.5341      0.5341      0.5341
(25)(θC,t)G5p
LG5p1          0.8258      0.8687      0.8687
LG5p2          0.8373      0.8373      0.8373
(26)(θg,F)G5n
LG5n1          0.5370      0.5445      0.5445
LG5n2          0.5370      0.5472      0.5472
(27)(θC,t)G5n
LG5n1          0.8645      0.8244      0.8244
LG5n2          0.8645      0.8045      0.8045
(28)|FSw|           0.842       0.858       0.825
(29)|FSt|           0.908       0.846       0.829
(30)|fG22n/fG22p|   1.00        0.79        0.78
【０２２２】
本実施形態の変倍光学系は、特に、監視カメラの光学系に適している。ただし、車載カメラの光学系、一眼ミラーレスカメラの光学系、又はコンパクトデジタルカメラの光学系に、本実施形態の変倍光学系を用いることができる。
【０２２３】
図１３は、電子撮像装置としての一眼ミラーレスカメラの断面図である。図１３において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０２２４】
そして、一眼ミラーレスカメラ１の撮影光学系２として、例えば上記実施例１〜６に示した変倍光学系が用いられる。
【０２２５】
図１４、図１５は、撮像装置の構成の概念図を示す。図１４は撮像装置としてのデジタルカメラ４０の前方斜視図、図１５は同後方斜視図である。このデジタルカメラ４０の撮影光学系４１に、本実施例の変倍光学系が用いられている。
【０２２６】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１の変倍光学系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０２２７】
図１６は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０２２８】
図１６に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２２９】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０２３０】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０２３１】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０２３２】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０２３３】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２３４】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０２３５】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２３６】
このように構成されたデジタルカメラ４０は、撮像光学系４１として本実施例の変倍光学系を採用することで、小型で高画質の画像が得られる撮像装置とすることが可能となる。
【０２３７】
なお、本発明は、その趣旨を逸脱しない範囲で様々な変形例をとることができる。また、上記各実施例により示された形状枚数には必ずしも限定されない。また、上記各実施例において、カバーガラスは必ずしも配置しなくても良い。また、各レンズ群内又は各レンズ群外に、上記各実施例に図示されていないレンズであって実質的に屈折力を有さないレンズを配置してもよい。
【産業上の利用可能性】
【０２３８】
以上のように、本発明は、前玉径が小さく、光学系の全長を短縮しながら、色収差が良好に補正された小型で結像性能が高い変倍光学系及びそれを備えた撮像装置に適している。
【符号の説明】
【０２３９】
Ｇ１  第１レンズ群
Ｇ２  第２レンズ群
Ｇ３  第３レンズ群
Ｇ４  第４レンズ群
Ｇ５  第５レンズ群
Ｓ  開口絞り（絞り）
Ｉ  像面
Ｃ  カバーガラス
１  一眼ミラーレスカメラ
２  撮影光学系
３  マウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
2018189839.tif 000003
【図２】
2018189839.tif 000004
【図３】
2018189839.tif 000005
【図４】
2018189839.tif 000006
【図５】
2018189839.tif 000007
【図６】
2018189839.tif 000008
【図７】
2018189839.tif 000009
【図８】
2018189839.tif 000010
【図９】
2018189839.tif 000011
【図１０】
2018189839.tif 000012
【図１１】
2018189839.tif 000013
【図１２】
2018189839.tif 000014
【図１３】
2018189839.tif 000015
【図１４】
2018189839.tif 000016
【図１５】
2018189839.tif 000017
【図１６】
2018189839.tif 000018